(57)【要約】  本願は測定方法および装置を提供する。該方法は、基地局から測定構成を受信するステップを含み、測定構成は指示情報を含み、指示情報は端末の隣接セル測定と端末の構成されたs−measureとの関係を指示するために使われる。該方法において、指示情報は測定構成の中で運ばれてよく、指示情報は端末の隣接セル測定と端末の構成されたs−measureとの関係を指示し、これにより測定構成の柔軟な構成が実現される。
2020535754.tif 000002
【特許請求の範囲】
【請求項１】
測定方法であって、
基地局から測定構成を受信するステップであって、前記測定構成は指示情報を含み、前記指示情報は端末の隣接セル測定と前記端末の構成された品質閾値s−measureとの関係を指示するために使われ、s−measureは、プライマリセルの信号品質がs−measure以上であるとき、隣接セル測定を行わないようにするために前記端末によって使われる、ステップと、
前記指示情報に基づいて前記隣接セル測定を行うステップとを含む、方法。
【請求項２】
前記指示情報が端末の隣接セル測定と前記端末の構成されたs−measureとの関係を指示するために使われることは、
前記指示情報が前記端末の前記隣接セル測定のときにs−measureを無視することを指示することを含み、
前記指示情報に基づいて前記隣接セル測定を行う前記ステップは、
前記基地局が前記端末にサービスを提供するところの前記プライマリセルの前記信号品質がs−measureより高いとき、前記隣接セル測定を行うステップであって、前記基地局はプライマリ基地局またはセカンダリ基地局を含む、ステップを含む、請求項1に記載の方法。
【請求項３】
前記指示情報が前記端末の前記隣接セル測定のときにs−measureを無視することを指示することは、
前記指示情報が前記端末のインターRAT無線アクセス技術inter−RAT測定のときにs−measureを無視することを指示することを含み、
前記基地局が前記端末にサービスを提供するところの前記プライマリセルの前記信号品質がs−measureより高いとき、前記隣接セル測定を行う前記ステップは、
前記基地局が前記端末に前記サービスを提供するところの前記プライマリセルの前記信号品質がs−measureより高いとき、前記端末の前記inter−RAT測定を行うステップを含む、請求項2に記載の方法。
【請求項４】
前記測定構成はレポート構成を運び、前記レポート構成は前記指示情報を運び、前記指示情報は前記レポート構成と関連付けられる測定タスクの隣接セル測定のときにs−measureを無視することを指示するために使われ、あるいは
前記測定構成は測定対象構成を運び、前記測定対象構成は前記指示情報を運び、前記指示情報は前記測定対象構成と関連付けられる測定タスクの隣接セル測定のときにs−measureを無視することを指示するために使われ、あるいは
前記測定構成は測定識別ID構成を運び、前記測定ID構成は前記指示情報を運び、前記指示情報は前記測定ID構成と関連付けられる測定タスクの隣接セル測定のときにs−measureを無視することを指示するために使われる、
請求項1から3のいずれか一項に記載の方法。
【請求項５】
前記指示情報が端末の隣接セル測定と前記端末の構成されたs−measureとの関係を指示するために使われることは、
前記指示情報が前記端末の前記隣接セル測定のときにs−measureを無視できないことを指示することを含み、
前記指示情報に基づいて前記隣接セル測定を行う前記ステップは、
前記基地局が前記端末にサービスを提供するところの前記プライマリセルの前記信号品質がs−measureより高いとき、前記隣接セル測定を行うことを止めるステップであって、前記基地局はプライマリ基地局またはセカンダリ基地局を含む、ステップを含む、請求項1に記載の方法。
【請求項６】
s−measureは、前記基地局によって構成される、基準信号受信電力RSRP閾値または信号対干渉雑音比SINR閾値である、
請求項1から5のいずれか一項に記載の方法。
【請求項７】
s−measureは同期信号ブロックSS block測定に基づくRSRP閾値であり、あるいは
s−measureはチャネル状態情報基準信号CSI−RS測定に基づくRSRP閾値であり、あるいは
s−measureはSS block測定に基づくSINR閾値であり、あるいは
s−measureはCSI−RS測定に基づくSINR閾値である、
請求項6に記載の方法。
【請求項８】
前記指示情報は基準閾値であり、前記基準閾値はs−measureより大きく、
前記指示情報に基づいて前記隣接セル測定を行う前記ステップは、
前記基地局が前記端末にサービスを提供するところの前記プライマリセルの前記信号品質がs−measureより高く、前記基準閾値より低いとき、前記隣接セル測定を行うステップ、または
前記基地局が前記端末にサービスを提供するところの前記プライマリセルの前記信号品質が前記基準閾値より高いとき、前記隣接セル測定を行うことを止めるステップであって、前記基地局はプライマリ基地局またはセカンダリ基地局を含む、ステップを含む、
請求項1に記載の方法。
【請求項９】
前記指示情報はオフセット値であり、前記オフセット値は0より大きく、
前記端末により、前記指示情報に基づいて前記隣接セル測定を行う前記ステップは、
前記基地局が前記端末にサービスを提供するところの前記プライマリセルの前記信号品質がs−measureより高く、s−measureと前記オフセット値との和より低いとき、前記端末により、前記隣接セル測定を行うステップ、または
前記基地局が前記端末にサービスを提供するところの前記プライマリセルの前記信号品質がs−measureと前記オフセット値との和より高いとき、前記端末により、前記隣接セル測定を行うことを止めるステップであって、
前記基地局はプライマリ基地局またはセカンダリ基地局を含む、ステップを含む、
請求項1に記載の方法。
【請求項１０】
前記基地局は前記端末の前記プライマリ基地局であり、前記指示情報は、前記プライマリ基地局によって構成される、前記端末の前記隣接セル測定と前記端末の構成されたs−measureとの関係を指示するために使われ、s−measureは前記端末の前記プライマリ基地局によって前記端末へ送信され、あるいは
前記基地局は前記端末の前記セカンダリ基地局であり、前記指示情報は、前記セカンダリ基地局によって構成される、前記端末の前記隣接セル測定と前記端末の構成されたs−measureとの関係を指示するために使われ、s−measureは前記端末の前記セカンダリ基地局によって前記端末へ送信される、
請求項1から9のいずれか一項に記載の方法。
【請求項１１】
測定方法であって、
測定構成を生成するステップであって、前記測定構成は指示情報を含み、前記指示情報は端末の隣接セル測定と前記端末の構成された品質閾値s−measureとの関係を指示するために使われ、s−measureは、プライマリセルの信号品質がs−measure以上であるとき、前記端末が隣接セル測定を行わないようにするために使われる、ステップと、
前記測定構成を前記端末へ送信するステップとを含む、方法。
【請求項１２】
前記指示情報が端末の隣接セル測定と前記端末の構成されたs−measureとの関係を指示するために使われることは、
前記指示情報が前記端末の前記隣接セル測定のときにs−measureを無視することを指示することを含む、請求項11に記載の方法。
【請求項１３】
前記指示情報が前記端末の前記隣接セル測定のときにs−measureを無視することを指示することは、
前記指示情報が前記端末のinter−RAT測定のときにs−measureを無視することを指示することを含む、請求項11に記載の方法。
【請求項１４】
前記測定構成はレポート構成を運び、前記レポート構成は前記指示情報を運び、前記指示情報は前記レポート構成と関連付けられる測定タスクの隣接セル測定のときにs−measureを無視することを指示するために使われ、あるいは
前記測定構成は測定対象構成を運び、前記測定対象構成は前記指示情報を運び、前記指示情報は前記測定対象構成と関連付けられる測定タスクの隣接セル測定のときにs−measureを無視することを指示するために使われ、あるいは
前記測定構成は測定識別ID構成を運び、前記測定ID構成は前記指示情報を運び、前記指示情報は前記測定ID構成と関連付けられる測定タスクの隣接セル測定のときにs−measureを無視することを指示するために使われる、
請求項11から13のいずれか一項に記載の方法。
【請求項１５】
前記指示情報が端末の隣接セル測定と前記端末の構成されたs−measureとの関係を指示するために使われることは、
前記指示情報が前記端末の前記隣接セル測定のときにs−measureを無視できないことを指示することを含む、請求項11に記載の方法。
【請求項１６】
s−measureは、前記基地局によって構成される、基準信号受信電力RSRP閾値または信号対干渉雑音比SINR閾値である、請求項11から15のいずれか一項に記載の方法。
【請求項１７】
s−measureは同期信号ブロックSS block測定に基づくRSRP閾値であり、あるいは
s−measureはチャネル状態情報基準信号CSI−RS測定に基づくRSRP閾値であり、あるいは
s−measureはSS block測定に基づくSINR閾値であり、あるいは
s−measureはCSI−RS測定に基づくSINR閾値である、
請求項16に記載の方法。
【請求項１８】
前記指示情報は、プライマリ基地局によって構成される、前記端末の前記隣接セル測定と前記端末の構成されたs−measureとの関係を指示するために使われ、あるいは
前記指示情報は、セカンダリ基地局によって構成される、前記端末の前記隣接セル測定と前記端末の構成されたs−measureとの関係を指示するために使われる、
請求項11から17のいずれか一項に記載の方法。
【請求項１９】
処理ユニットと通信ユニットとを含む装置であって、
前記通信ユニットは基地局から測定構成を受信し、前記測定構成は指示情報を含み、前記指示情報は端末の隣接セル測定と前記端末の構成された品質閾値s−measureとの関係を指示するために使われ、s−measureは、プライマリセルの信号品質がs−measure以上であるとき、前記端末が隣接セル測定を行わないようにするために使われる、ように構成され、
前記処理ユニットは前記指示情報に基づいて前記隣接セル測定を行うように構成される、装置。
【請求項２０】
前記指示情報が端末の隣接セル測定と前記端末の構成されたs−measureとの関係を指示するために使われることは、
前記指示情報が前記端末の前記隣接セル測定のときにs−measureを無視することを指示することを含み、
前記処理ユニットは、前記基地局が前記端末にサービスを提供するところの前記プライマリセルの前記信号品質がs−measureより高いとき、前記隣接セル測定を行い、前記基地局はプライマリ基地局またはセカンダリ基地局を含む、ように構成される、請求項19に記載の装置。
【請求項２１】
前記指示情報が前記端末の前記隣接セル測定のときにs−measureを無視することを指示することは、
前記指示情報が前記端末のインターRAT無線アクセス技術inter−RAT測定のときにs−measureを無視することを指示することを含み、
前記処理ユニットは、前記基地局が前記端末にサービスを提供するところの前記プライマリセルの前記信号品質がs−measureより高いとき、前記端末の前記inter−RAT測定を行うように構成される、請求項20に記載の装置。
【請求項２２】
前記測定構成はレポート構成を運び、前記レポート構成は前記指示情報を運び、前記指示情報は前記レポート構成と関連付けられる測定タスクの隣接セル測定のときにs−measureを無視することを指示するために使われ、あるいは
前記測定構成は測定対象構成を運び、前記測定対象構成は前記指示情報を運び、前記指示情報は前記測定対象構成と関連付けられる測定タスクの隣接セル測定のときにs−measureを無視することを指示するために使われ、あるいは
前記測定構成は測定識別ID構成を運び、前記測定ID構成は前記指示情報を運び、前記指示情報は前記測定ID構成と関連付けられる測定タスクの隣接セル測定のときにs−measureを無視することを指示するために使われる、
請求項19から21のいずれか一項に記載の装置。
【請求項２３】
前記指示情報が端末の隣接セル測定と前記端末の構成されたs−measureとの関係を指示するために使われることは、
前記指示情報が前記端末の前記隣接セル測定のときにs−measureを無視できないことを指示することを含み、
前記処理ユニットは、前記基地局が前記端末にサービスを提供するところの前記プライマリセルの前記信号品質がs−measureより高いとき、前記隣接セル測定を行うことを止め、前記基地局はプライマリ基地局またはセカンダリ基地局を含む、ように構成される、請求項19に記載の装置。
【請求項２４】
前記指示情報は基準閾値であり、前記基準閾値はs−measureより大きく、
前記処理ユニットは、前記基地局が前記端末にサービスを提供するところの前記プライマリセルの前記信号品質がs−measureより高く、前記基準閾値より低いとき、前記隣接セル測定を行い、あるいは
前記基地局が前記端末にサービスを提供するところの前記プライマリセルの前記信号品質が前記基準閾値より高いとき、前記隣接セル測定を行うことを止め、
前記基地局は前記プライマリ基地局または前記セカンダリ基地局を含む、ように構成される、請求項19に記載の装置。
【請求項２５】
処理ユニットと通信ユニットとを含む装置であって、
前記処理ユニットは測定構成を生成し、前記測定構成は指示情報を含み、前記指示情報は端末の隣接セル測定と前記端末の構成された品質閾値s−measureとの関係を指示するために使われ、s−measureは、プライマリセルの信号品質がs−measure以上であるとき、前記端末が隣接セル測定を行わないようにするために使われる、ように構成され、
前記通信ユニットは前記測定構成を前記端末へ送信するように構成される、装置。
【請求項２６】
前記指示情報が端末の隣接セル測定と前記端末の構成されたs−measureとの関係を指示するために使われることは、
前記指示情報が前記端末の前記隣接セル測定のときにs−measureを無視することを指示することを含む、請求項25に記載の装置。
【請求項２７】
前記指示情報が前記端末の前記隣接セル測定のときにs−measureを無視することを指示することは、
前記指示情報が前記端末のinter−RAT測定のときにs−measureを無視することを指示することを含む、請求項25に記載の装置。
【請求項２８】
前記指示情報が端末の隣接セル測定と前記端末の構成されたs−measureとの関係を指示するために使われることは、
前記指示情報が前記端末の前記隣接セル測定のときにs−measureを無視できないことを指示することを含む、請求項25に記載の装置。
【請求項２９】
コンピュータ可読記憶媒体であって、前記コンピュータ可読記憶媒体は命令を記憶し、前記命令がコンピュータで実行されると、前記コンピュータは請求項1から10のいずれか一項に記載の方法を行うことが可能となる、コンピュータ可読記憶媒体。
【請求項３０】
コンピュータ可読記憶媒体であって、前記コンピュータ可読記憶媒体は命令を記憶し、前記命令がコンピュータで実行されると、前記コンピュータは請求項11から18のいずれか一項に記載の方法を行うことが可能となる、コンピュータ可読記憶媒体。
【発明の詳細な説明】
【技術分野】
【０００１】
本願は、参照により全文が本願に援用される、2017年9月28日に中国国家知識産権局に提出された、「測定方法および装置」と題する、中国特許出願第201710900295．1号の優先権を主張する。
【０００２】
本願は移動通信技術の分野に関し、特に測定方法および装置に関する。
【背景技術】
【０００３】
移動通信システムでは、ネットワークが測定構成を送信し、ユーザー機器（User Equipment、UE）は測定構成に基づいて測定を行い、測定レポートの報告をトリガーする必要があるか否かを判断し、必要があると判断した場合は、測定レポートをネットワークに報告し、ネットワークは測定レポートに基づいてモビリティ決定やキャリア管理などを行う。
【０００４】
ロングタームエボリューション（Long Term Evolution、LTE）規格でUEのプライマリセル（PCell）信号品質がs−measureより高い場合、これはサービングセル信号が十分に強いことを意味する。この場合、UEはサービングセル測定を行い続けてもよいが、UEの電力を節約するため、同一周波数、異周波数、および異RAT隣接セルに対して測定を行うことを止める。
【発明の概要】
【０００５】
本願は、端末の測定構成を柔軟に構成することで、UEの節電と性能のバランスをさらに実現するための測定方法および装置を提供する。
【課題を解決するための手段】
【０００６】
第1の態様によると、本願は測定方法を提供し、該方法は端末か端末内のチップによって行われてよい。該方法は、基地局から測定構成を受信するステップであって、測定構成は指示情報を含み、指示情報は端末の隣接セル測定と端末の構成された品質閾値s−measureとの関係を指示するために使われ、s−measureは、プライマリセルの信号品質がs−measure以上であるとき、端末が隣接セル測定を行わないようにするために使われる、ステップと、指示情報に基づいて隣接セル測定を行うステップとを含む。該方法では、端末の隣接セル測定と端末の構成されたs−measureとの関係を指示するため、測定構成の中で指示情報が運ばれ、これにより、端末は指示情報に基づいて隣接セル測定を行うことができる。該方法において、指示情報は測定構成の中で運ばれてよく、指示情報は端末の隣接セル測定と端末の構成されたs−measureとの関係を指示し、これにより測定構成の柔軟な構成が実現される。
【０００７】
可能な一設計において、指示情報が端末の隣接セル測定と端末の構成されたs−measureとの関係を指示するために使われることは、指示情報が隣接セル測定のときにs−measureを無視することを指示することを含み、指示情報に基づいて隣接セル測定を行うステップは、基地局が端末にサービスを提供するところのプライマリセルの信号品質がs−measureより高いとき、隣接セル測定を行うステップであって、基地局はプライマリ基地局またはセカンダリ基地局を含む、ステップを含む。該方法において、指示情報は端末の隣接セル測定のときにs−measureを無視することを指示してよい。
【０００８】
可能な一設計において、指示情報が端末の隣接セル測定のときにs−measureを無視することを指示することは、指示情報が端末のinter−RAT無線アクセス技術inter−RAT測定のときにs−measureを無視することを指示することを含み、基地局が端末にサービスを提供するところのプライマリセルの信号品質がs−measureより高いとき、隣接セル測定を行うステップは、基地局が端末にサービスを提供するところのプライマリセルの信号品質がs−measureより高いとき、端末のinter−RAT測定を行うステップを含む。この方法において、指示情報は端末のinter−RAT測定のときにs−measureを無視することを指示してよい。したがって、基地局が端末にサービスを提供するところのプライマリセルの信号品質がs−measureより高ければ、端末は、隣接セル測定の一部分のみを行い、すなわちinter−RAT測定のみを行い、これによりUEの節電とUEの性能のバランスをとる。
【０００９】
可能な一設計において、測定構成はレポート構成を運び、レポート構成は指示情報を運び、指示情報はレポート構成と関連付けられる測定タスクの隣接セル測定のときにs−measureを無視することを指示するために使われ、あるいは測定構成は測定対象構成を運び、測定対象構成は指示情報を運び、指示情報は測定対象構成と関連付けられる測定タスクの隣接セル測定のときにs−measureを無視することを指示するために使われ、あるいは測定構成は測定識別ID構成を運び、測定ID構成は指示情報を運び、指示情報は測定ID構成と関連付けられる測定タスクの隣接セル測定のときにs−measureを無視することを指示するために使われる。該方法において、指示情報は、測定構成のレポート構成の中で運ばれてよく、あるいは測定構成の測定対象構成の中で運ばれてよく、あるいは測定構成の測定ID構成の中で運ばれてよい。指示情報を運ぶ様々な方法により、指示情報は様々な測定タスクの隣接セル測定のときにs−measureを無視することを指示することができる。具体的な実装時には、具体的な要求に基づいて指示情報を柔軟に構成できる。
【００１０】
可能な一設計において、指示情報が端末の隣接セル測定と端末の構成されたs−measureとの関係を指示するために使われることは、指示情報が端末の隣接セル測定のときにs−measureを無視できないことを指示することを含む。指示情報に基づいて隣接セル測定を行うステップは、基地局が端末にサービスを提供するところのプライマリセルの信号品質がs−measureより高いとき、隣接セル測定を行うことを止めるステップであって、基地局はプライマリ基地局またはセカンダリ基地局を含む、ステップを含む。
【００１１】
可能な一設計において、s−measureは、基地局によって構成される、基準信号受信電力RSRP閾値または信号または干渉雑音比SINR閾値である。
【００１２】
可能な一設計において、s−measureは同期信号ブロックSS block測定に基づくRSRP閾値であり、あるいはs−measureはチャネル状態情報基準信号CSI−RS測定に基づくRSRP閾値であり、あるいはs−measureはSS block測定に基づくSINR閾値であり、あるいはs−measureはCSI−RS測定に基づくSINR閾値である。
【００１３】
可能な一設計において、指示情報は基準閾値であり、基準閾値はs−measureより大きく、指示情報に基づいて隣接セル測定を行うステップは、基地局が端末にサービスを提供するところのプライマリセルの信号品質がs−measureより高く、基準閾値より低いとき、隣接セル測定を行うステップ、または基地局が端末にサービスを提供するところのプライマリセルの信号品質が基準閾値より高いとき、隣接セル測定を行うことを止めるステップであって、基地局はプライマリ基地局またはセカンダリ基地局を含む、ステップを含む。
【００１４】
可能な一設計において、指示情報はオフセット値であり、オフセット値は0より大きく、指示情報に基づいて隣接セル測定を行うステップは、基地局が端末にサービスを提供するところのプライマリセルの信号品質がs−measureより高く、s−measureとオフセット値との和より低いとき、端末により、隣接セル測定を行うステップ、または基地局が端末にサービスを提供するところのプライマリセルの信号品質がs−measureとオフセット値との和より高いとき、端末により、隣接セル測定を行うことを止めるステップであって、基地局はプライマリ基地局またはセカンダリ基地局を含む、ステップを含む。
【００１５】
可能な一設計において、基地局は端末のプライマリ基地局であり、指示情報は、プライマリ基地局によって構成される、端末の隣接セル測定と端末の構成されたs−measureとの関係を指示するために使われ、s−measureは端末のプライマリ基地局によって端末へ送信され、あるいは基地局は端末のセカンダリ基地局であり、指示情報は、セカンダリ基地局によって構成される、端末の隣接セル測定と端末の構成されたs−measureとの関係を指示するために使われ、s−measureは端末のセカンダリ基地局によって端末へ送信される。
【００１６】
第2の態様によると、本願は測定方法を提供し、該方法は基地局か基地局内のチップによって行われてよい。該方法は、測定構成を生成するステップであって、測定構成は指示情報を含み、指示情報は端末の隣接セル測定と端末の構成されたs−measureとの関係を指示するために使われ、s−measureは、プライマリセルの信号品質がs−measure以上であるとき、端末が隣接セル測定を行わないようにするために使われる、ステップと、測定構成を端末へ送信するステップとを含む。
【００１７】
可能な一設計において、指示情報が端末の隣接セル測定と端末の構成されたs−measureとの関係を指示するために使われることは、指示情報が隣接セル測定のときにs−measureを無視することを指示することを含む。
【００１８】
可能な一設計において、指示情報が端末の隣接セル測定のときにs−measureを無視することを指示することは、指示情報が端末のinter−RAT測定のときにs−measureを無視することを指示することを含む。
【００１９】
可能な一設計において、測定構成はレポート構成を運び、レポート構成は指示情報を運び、指示情報はレポート構成と関連付けられる測定タスクの隣接セル測定のときにs−measureを無視することを指示するために使われ、あるいは測定構成は測定対象構成を運び、測定対象構成は指示情報を運び、指示情報は測定対象構成と関連付けられる測定タスクの隣接セル測定のときにs−measureを無視することを指示するために使われ、あるいは測定構成は測定識別ID構成を運び、測定ID構成は指示情報を運び、指示情報は測定ID構成と関連付けられる測定タスクの隣接セル測定のときにs−measureを無視することを指示するために使われる。
【００２０】
可能な一設計において、指示情報が端末の隣接セル測定と端末の構成されたs−measureとの関係を指示するために使われることは、指示情報が端末の隣接セル測定のときにs−measureを無視できないことを指示することを含む。
【００２１】
可能な一設計において、s−measureは、基地局によって構成される、基準信号受信電力RSRP閾値または信号対干渉雑音比SINR閾値である。
【００２２】
可能な一設計において、s−measureは同期信号ブロックSS block測定に基づくRSRP閾値であり、あるいはs−measureはチャネル状態情報基準信号CSI−RS測定に基づくRSRP閾値であり、あるいはs−measureはSS block測定に基づくSINR閾値であり、あるいはs−measureはCSI−RS測定に基づくSINR閾値である。
【００２３】
可能な一設計において、指示情報は、プライマリ基地局によって構成される、端末の隣接セル測定と端末の構成されたs−measureとの関係を指示するために使われる、あるいは指示情報は、セカンダリ基地局によって構成される、端末の隣接セル測定と端末の構成されたs−measureとの関係を指示するために使われる。
【００２４】
第3の態様によると、本願は装置を提供する。該装置は端末か端末内のチップであってよい。該装置は、第1の態様による様々な実施形態を実行する機能を有する。これらの機能は、ハードウェアによって実行されてよく、あるいは対応するソフトウェアを実行するハードウェアによって実行されてもよい。ハードウェアまたはソフトウェアは、前述した機能に相当する1つ以上のモジュールを含む。
【００２５】
可能な一設計において、該装置が端末である場合は、この端末は処理ユニットと通信ユニットとを含む。処理ユニットは、例えばプロセッサであってよい。通信ユニットは、例えば送受信器であってよく、この送受信器は無線周波数回路を含む。必要に応じ、端末は記憶ユニットをさらに含み、この記憶ユニットは、例えばメモリであってよい。端末が記憶ユニットを含む場合、記憶ユニットはコンピュータ実行可能命令を記憶する。処理ユニットは記憶ユニットに接続されている。処理ユニットは記憶ユニットに記憶されたコンピュータ実行可能命令を実行し、これにより、端末は第1の態様によるいずれかの無線通信方法を行う。
【００２６】
別の可能な一設計において、該装置が端末内のチップである場合は、このチップは処理ユニットと通信ユニットとを含む。処理ユニットは、例えばプロセッサであってよい。通信ユニットは、例えば、入出力インタフェース、ピン、または回路であってよい。処理ユニットは記憶ユニットに記憶されたコンピュータ実行可能命令を実行でき、これにより第1の態様によるいずれかの通信方法が行われる。必要に応じ、記憶ユニットはチップ内の記憶ユニットであり、例えば、レジスタ、またはバッファであり、さらに記憶ユニットは、端末内にあってチップ外にある記憶ユニットであってもよく、例えば、読み取り専用メモリ（read−only memory、ROM）、静的な情報や命令を記憶できる別種の静的記憶装置、またはランダムアクセスメモリ（random access memory、RAM）であってもよい。
【００２７】
上述したプロセッサは、汎用中央処理装置（Central Processing Unit、CPU）、マイクロプロセッサ、特定用途向け集積回路（application−specific integrated circuit、ASIC）、または第1の態様による通信方法のプログラムの実行を制御する1つ以上の集積回路であってよい。
【００２８】
第4の態様によると、本願は装置を提供する。該装置は基地局か基地局内のチップであってよい。該装置は、第2の態様による様々な実施形態を実行する機能を有する。これらの機能は、ハードウェアによって実行されてよく、あるいは対応するソフトウェアを実行するハードウェアによって実行されてもよい。ハードウェアまたはソフトウェアは、前述した機能に相当する1つ以上のモジュールを含む。
【００２９】
可能な一設計において、該装置が基地局である場合は、この基地局は処理ユニットと通信ユニットとを含む。処理ユニットは、例えばプロセッサであってよい。通信ユニットは、例えば送受信器であってよく、この送受信器は無線周波数回路を含む。必要に応じ、基地局は記憶ユニットをさらに含み、この記憶ユニットは、例えばメモリであってよい。端末が記憶ユニットを含む場合、記憶ユニットはコンピュータ実行可能命令を記憶する。処理ユニットは記憶ユニットに接続されている。処理ユニットは記憶ユニットに記憶されたコンピュータ実行可能命令を実行し、これにより、基地局は第2の態様によるいずれかの無線通信方法を行う。
【００３０】
別の可能な一設計において、該装置が基地局内のチップである場合は、このチップは処理ユニットと通信ユニットとを含む。処理ユニットは、例えばプロセッサであってよい。通信ユニットは、例えば、入出力インタフェース、ピン、または回路であってよい。処理ユニットは記憶ユニットに記憶されたコンピュータ実行可能命令を実行でき、これにより第2の態様によるいずれかの通信方法が行われる。必要に応じ、記憶ユニットはチップ内の記憶ユニットであり、例えば、レジスタ、またはバッファであり、さらに記憶ユニットは、基地局内にあってチップ外にある記憶ユニットであってもよく、例えば、ROM、静的な情報や命令を記憶できる別種の静的記憶装置、またはRAMであってもよい。
【００３１】
上述したプロセッサは、汎用CPU、マイクロプロセッサ、ASIC、または第2の態様による通信方法のプログラムの実行を制御する1つ以上の集積回路であってよい。
【００３２】
第5の態様によると、本願はコンピュータ可読記憶媒体をさらに提供する。該コンピュータ可読記憶媒体は命令を記憶する。この命令がコンピュータで実行されると、コンピュータは前述した態様による方法を行うことが可能となる。
【００３３】
第6の態様によると、本願は命令を含むコンピュータプログラム製品をさらに提供する。該コンピュータプログラム製品がコンピュータで実行されると、コンピュータは前述した態様による方法を行うことが可能となる。
【００３４】
加えて、第2の態様から第6の態様の設計方式によってもたらされる技術的効果については、第1の態様による様々な設計方式によってもたらされる技術的効果を参照されたい。ここでは詳細を繰り返し説明しない。
【００３５】
これらの態様と本願のその他の態様は、以下の実施形態の説明においてより明確で分かりやすくなるだろう。
【図面の簡単な説明】
【００３６】
【図１】本願による可能なネットワークアーキテクチャの概略図である。
【図２】本願による測定方法の概略図である。
【図３】本願による構成された端末の帯域幅の一部分の概略図である。
【図４】本願による端末の概略構造図である。
【図５】本願による基地局の概略構造図である。
【図６】本願による装置の概略構造図である。
【図７】本願による装置の概略構造図である。
【図８】本願による装置の概略構造図である。
【図９】本願による装置の概略構造図である。
【発明を実施するための形態】
【００３７】
本願の目的と技術的なソリューションと利点をより明確にするため、添付の図面を参照しながら本願を以下でさらに詳しく説明する。方法の実施形態における具体的な操作の方法は、装置の実施形態やシステムの実施形態にも当てはめることができる。本願の説明では、別段の指定がある場合を除き、「複数の」は少なくとも2つを意味する。
【００３８】
なお、本願の測定方法は第1の通信装置と第2の通信装置とに関する。第1の通信装置は基地局か基地局内のチップであり、すなわち、基地局か基地局内のチップは、本願の実施形態で第1の通信装置によって実行される測定方法を行うことができる。第2の通信装置は端末か端末内のチップであり、すなわち、端末か端末内のチップは、本願の実施形態で第2の通信装置によって実行される測定方法を行うことができる。
【００３９】
説明を簡単にするため、本願では、第1の通信装置が基地局であり第2の通信装置が端末である一例を用いて測定方法を説明する。第1の通信装置が基地局内のチップであり第2の通信装置が端末内のチップである実施方法については、基地局か端末の測定方法の具体的な説明を参照されたい。詳細は繰り返し説明しない。
【００４０】
図1は本願による可能なネットワークアーキテクチャの概略図である。図1に示されたアーキテクチャは、複数の基地局と、少なくとも1つの端末とを含む。端末はLTE基地局とNR基地局に同時にアクセスできる。LTE基地局はプライマリ基地局として使われてよく、LTE基地局内のプライマリセルは端末のプライマリセルPCellとして使われる。NR基地局はセカンダリ基地局として使われ、NR基地局内のプライマリセルは端末のプライマリセカンダリセルPSCellとして使われる。プライマリ基地局内にあって端末にサービスを提供するプライマリセルが、端末のプライマリセルPCellと呼ばれることも理解できる。セカンダリ基地局内にあって端末にサービスを提供するプライマリセルは、端末のプライマリセカンダリセルPSCellと呼ばれる。
【００４１】
本願の端末は無線送受機能を有するデバイスである。端末は、屋内デバイス、屋外デバイス、手持ち型デバイス、または車載デバイスを含み陸上に配置されてよく、水上に配置されてもよく（例えば、蒸気船）、あるいは空中に配置されてもよい（例えば、航空機、気球、衛星）。端末は、携帯電話機（mobile phone）、タブレットコンピュータ（pad）、無線送受機能を有するコンピュータ、仮想現実（virtual reality、VR）端末、拡張現実（augmented reality、AR）端末、工業制御（industrial control）の無線端末、自動運転（self driving）の無線端末、遠隔医療（remote medical）の無線端末、スマートグリッド（smart grid）の無線端末、輸送安全（transportation safety）の無線端末、スマートシティ（smart city）の無線端末、スマートホーム（smart home）の無線端末などであってよい。
【００４２】
本願の基地局は端末を無線ネットワークに接続するデバイスである。基地局は、5GのgノードB（g nodeB、gNB）、エボルブドノードB（evolved node B、eNB）、ノードB（node B、NB）、基地局コントローラ（base station controller、BSC）、ベーストランシーバステーション（base transceiver station、BTS）、ホームエボルブドノードB（例えば、home evolved nodeB、またはhome node B、HNB）、ベースバンドユニット（BaseBand Unit、BBU）、送受信ポイント（transmitting and receiving point、TRP）、送信ポイント（transmitting point、TP）、モバイルスイッチングセンターなどを含むが、これらに限定されない。
【００４３】
移動通信システムの発展にともない、キャリアアグリゲーション（Carrier Aggregation、CA）が導入されている。キャリアアグリゲーションは、高速データ伝送をサポートするため、UEが複数のセル（キャリア）を同時に使ってアップリンクおよびダウンリンク通信を行うことを意味する。複数のセルのうち、1つはプライマリセル（Primary Cell、PCell）であり、もう1つはセカンダリセル（Secondary Cell、SCell）である。
【００４４】
キャリアアグリゲーションに基づき、2つの基地局間のセルアグリゲーションがさらに導入されており、デュアルコネクティビティ（Dual Connectivity、DC）と呼ばれている。すなわち、2つの基地局によって供給される複数のセルでキャリアアグリゲーションがサポートされるため、ユーザーはより良いユーザーエクスペリエンスを体験できる。UEにとって、1つのセルはマスターeノードB（Master eNB、MeNB）であり、もう1つのセルはセカンダリeノードBs（Secondary eNB、SeNB）である。加えて、PCellが位置する基地局はプライマリ基地局であり、プライマリ基地局はより多くの制御機能を引き受ける。セカンダリ基地局によって供給されるサービングセルはプライマリセカンダリセル（Primary Secondary Cell、PSCell）を有し、別のサービングセルはSCellである。
【００４５】
基地局によって端末へ送信される測定構成は、測定対象構成（measObjectConfig）と、レポート構成（reportConfig）と、測定識別（identification、ID）構成（measIDConfig）とを通常含む。
【００４６】
測定対象構成は測定対象を主に含み、測定対象は、測定されるべきセルの周波数や、セル測定値の生成に関する構成などを主に含む。
【００４７】
レポート構成は、測定イベントや、測定レポートのトリガーに関する構成などを含む。例えば、構成測定イベントA3は、隣接セルのサービスの品質がサービングセルのそれより1オフセット値高いことを意味する。
【００４８】
測定ID構成は測定対象とレポート構成とに対応している。すなわち、測定対象とレポート構成が組み合わされることで測定タスクが生成される。1つの測定IDが1つの測定タスクに対応することも理解できる。
【００４９】
これ以降は具体的な一例を参照しながら説明のための一例を提示する。
【００５０】
例えば、基地局によって端末へ送信される測定構成は次のとおりである。
｛
測定ID構成1｛MeasID 1（reportConfig ID 1，objectID 1）｝
測定ID構成2｛MeasID 2（reportConfig ID 1，objectID 2）｝
測定ID構成3｛MeasID 3（reportConfig ID 2，objectID 1）｝
測定ID構成4｛MeasID 4（reportConfig ID 2，objectID 2）｝
測定ID構成5｛MeasID 5（reportConfig ID 3，objectID 1）｝
測定ID構成6｛MeasID 6（reportConfig ID 3，objectID 2）｝
測定対象構成1｛objectID 1（f1）｝
測定対象構成2｛objectID 1（f2）｝
レポート構成1｛reportConfig ID 1（A1）｝
レポート構成2｛reportConfig ID 2（B1）｝
レポート構成3｛reportConfig ID 3（A1）｝
s−measure
｝
【００５１】
上記の測定構成は、objectID 1とobjectID 2とによってそれぞれ表されて、測定周波数f1およびf2にそれぞれ対応する、2つの測定対象構成を含む。測定構成は、reportConfig ID 1からreportConfig ID 3によってそれぞれ表されて、測定イベントA1、B1、およびA1にそれぞれ対応する、3つの測定対象構成を含む。測定構成は、MeasID 1からMeasID 6によってそれぞれ表されて、6つの測定タスクにそれぞれ対応する、6つの測定ID構成をさらに含む。それぞれの測定タスクは1つの測定対象と1つの測定イベントとに対応している。詳細については、前述の説明を参照されたい。さらに、測定構成は構成されたs−measureをさらに含む。
【００５２】
品質閾値s−measureは主にUEの節電のために導入され、s−measureはネットワークによって構成される閾値であり、s−measureは、プライマリセルの信号品質がs−measure以上であるとき、端末が隣接セル測定を行わないようにするために使われる。
【００５３】
基地局がプライマリ基地局である場合、プライマリセルはプライマリ基地局のプライマリセルPCellである。基地局がセカンダリ基地局である場合、プライマリセルはセカンダリ基地局のプライマリセルPSCellである。先行技術で、端末のPCell信号品質がs−measure以上である場合、端末は同一周波数、異周波数、および異RATシステム隣接セルに対して測定を行わない。ただし、この測定方法にはいくつかの問題がある。例えば、図1に示されているように、先行技術によると、EN−DCシナリオにおいて、端末によってアクセスされるLTE基地局のPCell信号品質がs−measure以上であるなら、端末は異周波数システムおよび異RATシステム隣接セルに対して測定を行わないため、NRセルの測定レポートを報告しない。こうして、LTE基地局は端末によって報告されるNRセルの測定レポートを受け取らず、LTE基地局はNR基地局のセルを加えることができない。換言すると、NR基地局をセカンダリ基地局として使うことができない。その結果、UEはNRセルを使用できず、UEの性能は低下する。
【００５４】
前述の問題を解決するため、図2に示されているように、本願は測定方法を提供する。この方法は、端末側で、端末か端末のチップによって行われてよく、基地局側で、基地局か基地局のチップによって行われてよい。以降の実施形態は、基地局と端末とのやり取りを一例として用いて説明する。
【００５５】
なお、本願の測定方法は、EN−DCが構成される応用シナリオに応用できるが、これに限定されない。例えば、本願の測定方法はNRシステム内のキャリア管理に応用することもできる。方法は以下のステップを含む。
【００５６】
ステップ201．基地局は測定構成を生成する。
【００５７】
基地局によって生成される測定構成は、測定対象構成と、レポート構成と、測定ID構成とを含む。詳細については、前述の説明を参照されたい。測定構成はs−measureをさらに含む。
【００５８】
さらに、本願において、測定構成は指示情報をさらに含み、この指示情報は端末の隣接セル測定と端末の構成されたs−measureとの関係を指示するために使われる。
【００５９】
具体的に述べると、指示情報によって指示される、端末の隣接セル測定と端末の構成されたs−measureとの関係は、端末の隣接セル測定が端末の構成されたs−measureに関係しているか否かとして理解でき、あるいは端末の隣接セル測定のときに端末の構成されたs−measureを無視できるか否かとして理解できる。
【００６０】
これ以降は様々なケースを説明する。
【００６１】
ケース1．指示情報は、端末の隣接セル測定のときにs−measureを無視することを指示する。
【００６２】
指示情報が隣接セル測定のときにs−measureを無視することを指示することは、端末が隣接セル測定を行うか否かがs−measureに関係していないと理解することもできる。換言すると、端末によって測定されるPCellの品質がs−measureより低かろうが、s−measureより高かろうが、s−measureに等しかろうが、端末によって行われる隣接セル測定には影響しない。
【００６３】
ケース2．指示情報は、端末の隣接セル測定のときにs−measureを無視できないことを指示する。
【００６４】
指示情報が隣接セル測定のときにs−measureを無視できないことを指示することは、端末が隣接セル測定を行うか否かがs−measureに関係していると理解することもできる。例えば、一実装において、端末によって測定されるPCellの信号品質がs−measureより高ければ、端末は隣接セル測定を行うことを止めることができる。
【００６５】
ステップ202．基地局は端末へ測定構成を送信し、端末は基地局から測定構成を受信する。
【００６６】
必要に応じ、基地局は、端末が無線リソース制御（Radio Resource Control、RRC）接続モードになっているときに、端末へ測定構成を送信する。なおここで、測定構成に含まれる測定対象構成、レポート構成、測定ID構成、s−measure、および指示情報は1つのRRCメッセージで端末へ送信されるとは限らず、複数のRRCメッセージで順次端末へ送信されてもよい。
【００６７】
ステップ203．端末は測定構成内の指示情報に基づいて隣接セル測定を行う。
【００６８】
端末は、測定構成を受信した後に、測定構成内の測定IDを得、1つの測定IDは1つの測定タスクに対応している。端末は測定構成内の指示情報をさらに得、指示情報は、端末が指示情報に基づいて測定タスクの一部または全部で隣接セル測定を行うことを指示してよい。
【００６９】
前述したケース1で、指示情報が端末の隣接セル測定のときにs−measureを無視することを指示する場合は、具体的に述べると、指示情報に基づいて隣接セル測定が行われる測定構成内の測定タスクは、測定構成が指示情報を運ぶ方法に関係している。以下、いくつかの実装方法を説明する。
【００７０】
実装方法1：測定構成はレポート構成を運び、レポート構成が指示情報を運ぶ。
【００７１】
実装方法1において、指示情報は、レポート構成と関連付けられる測定タスクの隣接セル測定のときにs−measureを無視することを指示するために使われる。
【００７２】
前述した測定構成の例に基づき、実装方法1において、指示情報はレポート構成の中で運ばれてよく、例えば、指示情報はレポート構成1の中で運ばれ、すなわち、測定構成は次のように示すことができる。
｛
測定ID構成1｛MeasID 1（reportConfig ID 1，objectID 1）｝
測定ID構成2｛MeasID 2（reportConfig ID 1，objectID 2）｝
測定ID構成3｛MeasID 3（reportConfig ID 2，objectID 1）｝
測定ID構成4｛MeasID 4（reportConfig ID 2，objectID 2）｝
測定ID構成5｛MeasID 5（reportConfig ID 3，objectID 1）｝
測定ID構成6｛MeasID 6（reportConfig ID 3，objectID 2）｝
測定対象構成1｛objectID 1（f1）｝
測定対象構成2｛objectID 1（f2）｝
レポート構成1｛reportConfig ID 1（A1），指示情報｝
レポート構成2｛reportConfig ID 2（B1）｝
レポート構成3｛reportConfig ID 3（A1）｝
s−measure
｝
【００７３】
測定ID構成1と測定ID構成2はreportConfig ID 1を含むため、レポート構成1と関連付けられる測定タスクは測定ID構成1と測定ID構成2である。したがって、指示情報がレポート構成1の中で運ばれる場合は、指示情報は、測定ID構成1に対応する測定タスクと測定ID構成2に対応する測定タスクが隣接セル測定のときにs−measureを無視することを指示する。
【００７４】
実装方法2：測定構成は測定対象構成を運び、測定対象構成が指示情報を運ぶ。
【００７５】
実装方法2で、指示情報は、測定対象構成と関連付けられる測定タスクの隣接セル測定のときにs−measureを無視することを指示するために使われる。
【００７６】
前述した測定構成の例に基づき、実装方法2において、指示情報は測定対象構成の中で運ばれてよく、例えば、指示情報は測定対象構成1の中で運ばれ、すなわち、測定構成は次のように示すことができる。
｛
測定ID構成1｛MeasID 1（reportConfig ID 1，objectID 1）｝
測定ID構成2 MeasID 2（reportConfig ID 1，objectID 2）｝
測定ID構成3 MeasID 3（reportConfig ID 2，objectID 1）｝
測定ID構成4｛MeasID 4（reportConfig ID 2，objectID 2）｝
測定ID構成5｛MeasID 5（reportConfig ID 3，objectID 1）｝
測定ID構成6｛MeasID 6（reportConfig ID 3，objectID 2）｝
測定対象構成1｛objectID 1（f1），指示情報｝
測定対象構成2｛objectID 1（f2）｝
レポート構成1｛reportConfig ID 1（A1）｝
レポート構成2｛reportConfig ID 2（B1）｝
レポート構成3｛reportConfig ID 3（A1）｝
s−measure
｝
【００７７】
測定ID構成1と測定ID構成3はobjectID 1を含むため、測定対象構成1と関連付けられる測定タスクは測定ID構成1と測定ID構成3である。したがって、指示情報が測定対象構成1の中で運ばれる場合は、指示情報は、測定ID構成1に対応する測定タスクと測定ID構成3に対応する測定タスクが隣接セル測定のときにs−measureを無視することを指示する。
【００７８】
実装方法3：測定構成は測定識別ID構成を運び、測定ID構成が指示情報を運ぶ。
【００７９】
実装方法3で、指示情報は、測定ID構成と関連付けられる測定タスクの隣接セル測定のときにs−measureを無視することを指示するために使われる。
【００８０】
前述した測定構成の例に基づき、実装方法3において、指示情報は測定ID構成の中で運ばれてよく、例えば、指示情報は測定ID構成1の中で運ばれ、すなわち、測定構成は次のように示すことができる。
｛
測定ID構成1｛MeasID 1（reportConfig ID 1，objectID 1），指示情報｝
測定ID構成2｛MeasID 2（reportConfig ID 1，objectID 2）｝
測定ID構成3｛MeasID 3（reportConfig ID 2，objectID 1）｝
測定ID構成4｛MeasID 4（reportConfig ID 2，objectID 2）｝
測定ID構成5｛MeasID 5（reportConfig ID 3，objectID 1）｝
測定ID構成6｛MeasID 6（reportConfig ID 3，objectID 2）｝
測定対象構成1｛objectID 1（f1）｝
測定対象構成2｛objectID 1（f2）｝
レポート構成1｛reportConfig ID 1（A1）｝
レポート構成2｛reportConfig ID 2（B1）｝
レポート構成3｛reportConfig ID 3（A1）｝
s−measure
｝
【００８１】
指示情報は、特定の測定ID構成、すなわち測定ID構成1の中で運ばれるため、指示情報は、測定ID構成1に対応する測定タスクが隣接セル測定のときにs−measureを無視することを指示する。
【００８２】
実装方法4：測定構成は指示情報を運び、指示情報は、レポート構成、測定対象構成、および測定識別ID構成の中にない。
【００８３】
実装方法4で、指示情報は、端末の特定の測定タスクの隣接セル測定のときにs−measureを無視することを指示するために使われる。これらの特定の測定タスクは標準的なプロトコルで指定でき、RRCシグナリングを使って指示する必要はない。例えば、プロトコルは、特定の測定タスクがinter−RAT（inter Radio Access Technology、インターRAT）測定であることを指定する。
【００８４】
前述した測定構成の例に基づき、実装方法4において、指示情報は測定構成の中で運ばれてよく、測定構成は次のように示すことができる。
｛
測定ID構成1｛MeasID 1（reportConfig ID 1，objectID 1）｝
測定ID構成2｛MeasID 2（reportConfig ID 1，objectID 2）｝
測定ID構成3｛MeasID 3（reportConfig ID 2，objectID 1）｝
測定ID構成4｛MeasID 4（reportConfig ID 2，objectID 2）｝
測定ID構成5｛MeasID 5（reportConfig ID 3，objectID 1）｝
測定ID構成6｛MeasID 6（reportConfig ID 3，objectID 2）｝
測定対象構成1｛objectID 1（f1）｝
測定対象構成2｛objectID 1（f2）｝
レポート構成1｛reportConfig ID 1（A1）｝
レポート構成2｛reportConfig ID 2（B1）｝
レポート構成3｛reportConfig ID 3（A1）｝
s−measure
指示情報
｝
【００８５】
この実装方法で、指示情報は測定構成の中で運ばれ、レポート構成、測定対象構成、および測定識別ID構成の中にないため、指示情報は端末の特定の測定タスクと関連付けられる。すなわち、例えば、特定の測定タスクがinter−RAT（インターRAT）測定であることをプロトコルが指定する場合は、指示情報は、レポート構成2と関連付けられる測定タスク、すなわち測定ID構成3と測定ID構成4は、隣接セル測定のときにs−measureを無視することを指示する。
【００８６】
指示情報が端末のinter−RAT測定のときにs−measureを無視することを指示するために使われる場合は、隣接セル測定を行う方法は次のとおりである。端末のプライマリセルPCellの信号品質がs−measureより高い場合でも、端末のinter−RAT測定を行う。
【００８７】
端末のinter−RAT測定のときに、隣接セルにNRセルがある場合は、NRセルの信号品質を測定でき、条件が満たされれば、測定レポートの報告をトリガーできる。
【００８８】
実装方法1から実装方法4で、指示情報は、端末の隣接セル測定のときにs−measureを無視することを指示するために使われる。具体的に述べると、指示情報は、指示情報と関連付けられる測定タスクが隣接セル測定のときにs−measureを無視することを指示するために使われる。
【００８９】
前述の実装方法1に記載された例で、指示情報は、測定ID構成1に対応する測定タスクと測定ID構成2に対応する測定タスクが隣接セル測定のときにs−measureを無視することを指示するために使われる。他の測定タスクでは、すなわち、測定ID構成3から測定ID構成6にそれぞれ対応する測定タスクでは、s−measureを無視できない。換言すると、端末によって測定されるPCellの信号品質がs−measureより高ければ、端末はこれらの測定タスクの隣接セル測定を行うことを止める。
【００９０】
前述の実装方法2に記載された例で、指示情報は、測定ID構成1に対応する測定タスクと測定ID構成3に対応する測定タスクが隣接セル測定のときにs−measureを無視することを指示するために使われる。他の測定タスクでは、すなわち、測定ID構成2と測定ID構成4から測定ID構成6にそれぞれ対応する測定タスクの隣接セル測定では、s−measureを無視できない。すなわち、端末によって測定されるPCellの信号品質がs−measureより高ければ、端末はこれらの測定タスクの隣接セル測定を行うことを止める。
【００９１】
前述の実装方法3に記載された例で、指示情報は、測定ID構成1に対応する測定タスクが隣接セル測定のときにs−measureを無視することを指示するために使われる。他の測定タスクでは、すなわち、測定ID構成2から測定ID構成6にそれぞれ対応する測定タスクの隣接セル測定では、s−measureを無視できない。すなわち、端末によって測定されるPCellの信号品質がs−measureより高ければ、端末はこれらの測定タスクの隣接セル測定を行うことを止める。
【００９２】
測定タスクの隣接セル測定のときにs−measureを無視できないことを指示するために指示情報が使われる具体的な方法については、実装方法1から実装方法3の前述した方法を用いることもでき、例を用いた説明は再度行わない。
【００９３】
別のケースで、特定の測定タスクの隣接セル測定のときにs−measureを無視することを指示する必要がある場合は、前述した実装方法4と同様の方法を用いることができ、例を用いた説明は再度行わない。
【００９４】
前述した実施形態で、指示情報に基づいて隣接セル測定を行うことは、基地局が端末にサービスを提供するところのプライマリセルの信号品質がs−measureより高いとき、隣接セル測定を行うことであってよい。あるいは、指示情報に基づいて隣接セル測定を行うことは、端末のプライマリセルPCellの信号品質がs−measureより高いとき、隣接セル測定を行うものと理解できる。
【００９５】
可能な一実装において、隣接セル測定を行う具体的な方法については、先行技術を参照されたい。詳細は繰り返し説明しない。
【００９６】
具体的な実装時に、隣接セル測定を行う具体的な方法は、端末のプライマリセルPCellの信号品質がs−measure以上であるとき、隣接セル測定を行うことであってもよい。
【００９７】
前述したステップ201からステップ203では、端末の隣接セル測定と端末の構成されたs−measureとの関係を指示するために、指示情報が測定構成の中で運ばれるため、端末は指示情報に基づいて隣接セル測定を行うことができ、これにより測定構成の柔軟な構成が実現する。
【００９８】
さらに、指示情報は端末の隣接セル測定のときにs−measureを無視することを指示してよい。例えば、端末のinter−RAT測定のときにs−measureを無視することを指示情報が指示するとき、基地局が端末にサービスを提供するところのプライマリセルの信号品質がs−measureより高ければ、端末は、隣接セル測定の一部分のみを行い、すなわちinter−RAT測定のみを行い、intra−RAT測定（例えば、イントラ周波数測定とインター周波数測定を含む）は行わず、これによりUEの節電とUEの性能のバランスをとる。
【００９９】
前述した実装方法において、節電の検討に基づき、基地局は、キャリア管理を行うため、必要な測定レポートを受け取ることができる。例えば、セカンダリ基地局としてNRセルが加えられ、これによりNRセルの利用を向上させ、ユーザーのピークレートを増大させ、ユーザーエクスペリエンスを高める。
【０１００】
必要に応じ、以下のステップがさらに含まれる。
【０１０１】
ステップ204．端末は測定レポートを生成し、測定レポートを基地局へ送信し、基地局は端末から測定レポートを受信する。
【０１０２】
端末の測定が測定レポートを生成する条件を満たすと、測定レポートが生成され、基地局へ送信される。具体的な実装プロセスについては、先行技術を参照されたい。詳細は繰り返し説明しない。
【０１０３】
例えば、図1を参照すると、端末の隣接セル測定がinter−RAT測定を含むことをLTE基地局が測定構成の指示情報を使って指示する場合は、基地局が測定レポートを受信した後に、基地局が端末のサービングセルとしてNRセルを加えることを判断すると、EN−DCが正しく構成され、すなわち、端末はLTE基地局（プライマリ基地局）およびNR基地局（セカンダリ基地局）と同時に作業する。LTEのプライマリセルは端末のプライマリセルPCellと呼ばれ、NR基地局のプライマリセルは端末のプライマリセカンダリセルPSCellと呼ばれる。
【０１０４】
独立した実施形態において、端末のセカンダリ基地局としてNR基地局が加えられた後は、隣接セル測定を行うため、プライマリ基地局とセカンダリ基地局が端末へ測定構成を別々に送信でき、プライマリ基地局とセカンダリ基地局はs−measureを別々に送信できる。プライマリ基地局によって送信されるs−measure 1はPCellに特有のものであり、セカンダリ基地局によって送信されるs−measure 2はPSCellに特有のものである。
【０１０５】
プライマリ基地局の場合、PCellがs−measure 1より高ければ、端末はプライマリ基地局によって送信される測定構成に対応する隣接セル測定を行わない。ただし、セカンダリ基地局によって送信される測定構成はs−measure 1に影響されず、すなわち、PSCellがs−measure 2より高い場合を除き、セカンダリ基地局によって送信される測定構成に対応する隣接セル測定はなお行われる。このように、プライマリ基地局とセカンダリ基地局によって送信されるs−measureは、プライマリ基地局とセカンダリ基地局によって送信される測定構成のみに影響し、これにより、システムの複雑さが簡素化される。
【０１０６】
必要に応じ、プライマリ基地局の場合、プライマリ基地局によって送信される測定構成が指示情報を含む場合の具体的な実装プロセスについては、図2に示された手順の方法を参照されたい。具体的に述べると、図2に示された手順における基地局はプライマリ基地局である。例えば、端末の隣接セル測定のときにs−measure 1を無視することを指示するために指示情報が使われるとき、端末が隣接セル測定を行うことは、端末のプライマリセルPCellの信号品質がs−measure 1より高いとき、隣接セル測定を行うことであってよい。別の一例として、端末の隣接セル測定のときにs−measure 1を無視できないことを指示するために指示情報が使われるとき、端末が隣接セル測定を行うことは、端末のプライマリセルPCellの信号品質がs−measure 1より高いとき、隣接セル測定を行うことを止めることであってよい。指示情報を運ぶ具体的な方法については、前述の説明を参照されたい。詳細は繰り返し説明しない。
【０１０７】
セカンダリ基地局の場合、PSCellがs−measure 2より高ければ、端末はセカンダリ基地局によって送信される測定構成に対応する隣接セル測定を行わない。ただし、プライマリ基地局によって送信される測定構成はs−measure 2に影響されない。具体的に述べると、PCellがs−measure 2より高い場合を除き、プライマリ基地局によって送信される測定構成に対応する隣接セル測定はなお行われる。
【０１０８】
必要に応じ、セカンダリ基地局の場合、セカンダリ基地局によって送信される測定構成が指示情報を含む場合の具体的な実装プロセスについては、図2に示された手順の方法を参照されたい。具体的に述べると、図2に示された手順における基地局はセカンダリ基地局である。例えば、端末の隣接セル測定のときにs−measure 2を無視することを指示するために指示情報が使われるとき、端末が隣接セル測定を行うことは、端末のプライマリセカンダリセルPSCellの信号品質がs−measure 2より高いとき、隣接セル測定を行うことであってよい。別の一例として、端末の隣接セル測定のときにs−measure 2を無視できないことを指示するために指示情報が使われるとき、端末が隣接セル測定を行うことは、端末のプライマリセカンダリセルPSCellの信号品質がs−measure 2より高いとき、隣接セル測定を行うことを止めることであってよい。加えて、指示情報を運ぶ具体的な方法については、前述の説明を参照されたい。詳細は繰り返し説明しない。
【０１０９】
セカンダリ基地局のための測定がプライマリ基地局によって構成されるs−measure 1に影響されず、プライマリ基地局のため測定がセカンダリ基地局によって構成されるs−measure 2に影響されないことに留意されたい。また、プライマリ基地局のための測定がプライマリ基地局によって構成されるs−measure 1のみに影響され、セカンダリ基地局のための測定がセカンダリ基地局によって構成されるs−measure 2のみに影響されることも気付くことができる。
【０１１０】
LTEにおいて、s−measureは基準信号受信電力（Reference Signal Receiving Power、RSRP）閾値としてのみ構成できる。具体的に述べると、PCellのRSRP測定値はs−measureと比較される。
【０１１１】
本願の前述した実施形態で、s−measureはRSRP閾値として構成されてよく、あるいは信号対干渉雑音比（Signal to Interference plus Noise Ratio、SINR）閾値として構成されてよい。具体的に述べると、基地局によって送信されるs−measure構成は、一方では構成された値を指示してよく、他方では閾値のタイプをさらに指示してよく、例えば、s−measureがSINR測定値に特有のものであることを指示してよい。
【０１１２】
さらに、DCシナリオでは、プライマリ基地局とセカンダリ基地局が様々なタイプのs−measure閾値を構成してよい。例えば、プライマリ基地局はRSRPタイプのs−measureを構成し、セカンダリ基地局はSINRタイプのs−measureを構成する。あるいは、プライマリ基地局はSINRタイプのs−measureを構成し、セカンダリ基地局はRSRPタイプのs−measureを構成する。
【０１１３】
さらに、本願の前述した実施形態において、s−measureは基地局によって構成された、測定基準信号タイプに基づく閾値であってもよく、測定基準信号タイプは同期信号ブロック（synchronous block、SS block）またはチャネル状態情報基準信号（Channel State Information Reference Signal、CSI−RS）である。
【０１１４】
したがって、閾値タイプと測定基準信号タイプの両方が検討される場合、s−measureは以下のタイプであってよい。
【０１１５】
s−measureはSS block測定に基づくRSRP閾値であり、s−measureはCSI−RS測定に基づくRSRP閾値であり、s−measureはSS block測定に基づくSINR閾値であり、あるいはs−measureはCSI−RS測定に基づくSINR閾値である。
【０１１６】
s−measureはプライマリ基地局によって構成されるs−measureであってよく、あるいはセカンダリ基地局によって構成されるs−measureであってよい。
【０１１７】
さらに、本願の前述した実施形態において、指示情報は閾値を使って実現されてもよい。指示情報が基準閾値である場合、この基準閾値はs−measureより大きい。
【０１１８】
以下、プライマリ基地局とセカンダリ基地局を別々に説明する。プライマリ基地局はs−measure 1と基準閾値1を構成し、セカンダリ基地局はs−measure 2と基準閾値2を構成する。
【０１１９】
プライマリ基地局の場合、端末のプライマリセルPCellの信号品質がs−measure 1より高く、基準閾値1より低ければ、プライマリ基地局は隣接セル測定を行い、端末のプライマリセルPCellの信号品質が基準閾値1より高ければ、プライマリ基地局は隣接セル測定を行うことを止める。
【０１２０】
セカンダリ基地局の場合、端末のプライマリセカンダリセルPSCellの信号品質がs−measure 2より高く、基準閾値2より低ければ、セカンダリ基地局は隣接セル測定を行い、端末のプライマリセカンダリセルPSCellの信号品質が基準閾値2より高ければ、セカンダリ基地局は隣接セル測定を行うことを止める。
【０１２１】
さらに、本願の前述した実施形態において、指示情報はオフセット値を使って実現されてもよい。指示情報がオフセット値である場合、このオフセット値は0より大きい。
【０１２２】
以下、プライマリ基地局とセカンダリ基地局を別々に説明する。プライマリ基地局はs−measure 1と第1のオフセット値を構成し、セカンダリ基地局はs−measure 2と第2のオフセット値を構成する。
【０１２３】
プライマリ基地局の場合、端末のプライマリセルPCellの信号品質がs−measure 1より高く、s−measure 1と第1のオフセット値との和より低ければ、プライマリ基地局は隣接セル測定を行い、端末のプライマリセカンダリセルPSCellの信号品質がs−measure 1と第1のオフセット値との和より高ければ、プライマリ基地局は隣接セル測定を行うことを止める。
【０１２４】
セカンダリ基地局の場合、端末のプライマリセカンダリセルPSCellの信号品質がs−measure 2より高く、s−measure 2と第2のオフセット値との和より低ければ、セカンダリ基地局は隣接セル測定を行い、端末のプライマリセカンダリセルPSCellの信号品質がs−measure 2と第2のオフセット値との和より高ければ、セカンダリ基地局は隣接セル測定を行うことを止める。
【０１２５】
独立した実施形態において、NRセルはかなり広いキャリアであってよい。端末能力の限界などのため、NRセルが端末のサービングセルである場合は、端末はNRセルの帯域幅の一部分のみで作業してよい。したがって、端末に1つ以上のアクティブ帯域幅部分BWP（Bandwidth Part）を構成でき、端末のアクティブBWPは物理層シグナリングを使って別の周波数帯に速やかに切り替えることができる。図3に示されているように、ネットワークによって端末にデフォルトBWPが構成されてもよい。
【０１２６】
NRセルを測定するときに、端末は実際には、基準信号を、すなわち、SS blockとCSI−RSを測定する。一部のBWPには基準信号があってよく、一部のBWPには基準信号がなくてよい。測定構成を送信するときに、ネットワークは、周波数領域位置を含む基準信号の構成を端末に送信でき、端末は現在アクティブなBWPに基準信号が存在するか否かを知ることができる。
【０１２７】
端末は、端末のアクティブBWPに基準信号があるとき、アクティブBWPで基準信号を測定でき、アクティブBWPの外では基準信号を測定する必要がない。アクティブBWPが別の周波数帯に変えられると、端末によって測定される基準信号も新たなアクティブBWPに変えられ、端末の複数のアクティブBWPのいずれか1つに基準信号があるなら、そのアクティブBWPのその基準信号を測定するだけでよく、端末がNRセルに対し測定を行うときに測定ギャップは必要なく、データ伝送への影響が軽減される。端末は、端末のアクティブBWPに基準信号がないとき、デフォルトBWPで基準信号を測定できる。
【０１２８】
これまでは主に、ネットワークエレメント間のやり取りの観点から本願で提供されるソリューションを説明した。前述した機能を実装するため、ネットワークエレメントが前述した機能を行うための対応するハードウェア構造および／またはソフトウェアモジュールを含むことは理解できる。当業者なら、本明細書で開示されている実施形態で説明されている例をもとに、ユニットやアルゴリズムステップが、本発明において、ハードウェアによって、またはハードウェアとコンピュータソフトウェアの組み合わせによって、実装され得ることに容易く気付くであろう。機能がハードウェアによって行われるか、それともコンピュータソフトウェアによって駆動されるハードウェアによって行われるかは、技術的ソリューションの具体的な用途と設計上の制約しだいで決まる。当業者なら具体的な用途ごとに説明されている機能を様々な方法で実装できるが、そのような実装は本発明の範囲を超えるものとみなすべきではない。
【０１２９】
同じ発明コンセプトに基づき、本願の一実施形態は端末400をさらに提供する。図4は端末の概略構造図である。説明を簡単にするため、図4は端末の主要コンポーネントのみを示している。図4に示されているように、端末400は、プロセッサと、メモリと、制御回路と、アンテナと、入出力装置とを含む。プロセッサは、通信プロトコルと通信データを処理し、端末全体を制御し、ソフトウェアプログラムを実行し、ソフトウェアプログラムのデータを処理するように主に構成され、例えば、前述した実施形態で端末によって行われるアクションを行うにあたって端末を支援するように構成される。メモリは、ソフトウェアプログラムとデータを記憶するように主に構成される。制御回路は、ベースバンド信号と無線周波数信号との変換を行い、無線周波数信号を処理するように主に構成される。制御回路はアンテナと共に送受信器と呼ばれることもあり、この送受信器は、無線周波数信号を電磁波の形で送受するように主に構成される。送受信器は基地局によって送信されるシグナリングを受信する。詳細については、前述した関係する部分の説明を参照されたい。タッチスクリーン、ディスプレイ、またはキーボードなどの入出力装置は、ユーザーによって入力されるデータを受け取り、ユーザーに向けてデータを出力するように主に構成される。
【０１３０】
端末の電源が入った後に、プロセッサは、記憶ユニット内のソフトウェアプログラムを読み取り、ソフトウェアプログラムの命令を解釈し実行し、ソフトウェアプログラムのデータを処理できる。プロセッサは、データを無線送信する必要があるとき、送信されるべきデータに対してベースバンド処理を行い、その後、無線周波数回路へベースバンド信号を出力する。無線周波数回路は、ベースバンド信号に対して無線周波数処理を行った後に、アンテナを使って無線周波数信号を電磁波の形で送信する。端末へデータが送信されると、無線周波数回路はアンテナを使って無線周波数信号を受信し、無線周波数信号をベースバンド信号に変換し、ベースバンド信号をプロセッサに出力する。プロセッサはベースバンド信号をデータに変換し、データを処理する。
【０１３１】
当業者なら、説明を簡単にするため、図4はメモリを1つのみとプロセッサを1つのみ示していることを理解できる。実際のところ、端末は複数のプロセッサと複数のメモリを含んでもよい。メモリは、記憶媒体や記憶装置などと呼ばれることもある。これは本願の本実施形態で限定されない。
【０１３２】
任意の一実装において、プロセッサは、ベースバンドプロセッサと、中央処理装置とを含んでもよい。ベースバンドプロセッサは、通信プロトコルと通信データを処理するように主に構成される。中央処理装置は、端末全体を制御し、ソフトウェアプログラムを実行し、ソフトウェアプログラムのデータを処理するように主に構成される。図4のプロセッサは、ベースバンドプロセッサと中央処理装置の機能を一元化している。当業者なら、ベースバンドプロセッサと中央処理装置が互いに独立したプロセッサであってもよいこと、またバスなどの技術を用いて相互接続されることを理解できる。当業者なら、様々なネットワーク規格に対応するため、端末は複数のベースバンドプロセッサを含み得ること、および、端末の処理能力を高めるため、端末は複数の中央処理装置を含み得ることを理解できる。端末のコンポーネントは様々なバスを使って接続されてよい。ベースバンドプロセッサは、ベースバンド処理回路やベースバンド処理チップと表現されることもある。中央処理装置は、中央処理回路や中央処理チップと表現されることもある。通信プロトコルと通信データを処理する機能は、プロセッサに組み込まれてよく、あるいはソフトウェアプログラムの形で記憶ユニットに記憶されてもよく、この場合、プロセッサはソフトウェアプログラムを実行することでベースバンド処理機能を実行する。
【０１３３】
例えば、本願の本実施形態において、送受信機能を有するアンテナと制御回路は端末400の送受信ユニット401とみなすことができ、処理機能を有するプロセッサは端末400の処理ユニット402とみなすことができる。図4に示されているように、端末400は、送受信ユニット401と、処理ユニット402とを含む。送受信ユニットは、送受信器、送受信マシン、送受信装置などと呼ばれることもある。必要に応じ、送受信ユニット401で受信機能を実行するコンポーネントは受信ユニットとみなすことができ、送受信ユニット401で送信機能を実行するコンポーネントは送信ユニットとみなすことができる。換言すると、送受信ユニット401は、受信ユニットと、送信ユニットとを含む。例えば、受信ユニットは、受信マシン、受信器、受信回路などと呼ばれることがあり、送信ユニットは、送信マシン、送信器、送信回路などと呼ばれることがある。
【０１３４】
同じ発明コンセプトに基づき、本願の一実施形態は基地局500をさらに提供する。図5は基地局500の概略構造図である基地局500は、前述した実施形態で基地局によって行われるアクションを行うように構成されてよい。基地局500は、1つ以上のリモートラジオユニット（remote radio unit、RRU）501と、1つ以上のベースバンドユニット（baseband unit、BBU）502とを含む。RRU 501は、送受信ユニット、送受信マシン、送受信回路、送受信器などと呼ばれることがあり、少なくとも1つのアンテナ5011と無線周波数ユニット5012とを含む。RRU 501は、無線周波数信号を送受し、無線周波数信号とベースバンド信号を変換するように主に構成される。BBU 502は、ベースバンド処理を行い、基地局の制御などを行うように主に構成される。RRU 501とBBU 502は物理的に一緒に配置されてよく、あるいは物理的に別々に配置、すなわち分散された基地局に配置されてもよい。
【０１３５】
BBU 502は基地局のコントロールセンターであり、処理ユニットと呼ばれることもあり、チャネル符号化、多重化、変調、または拡散などのベースバンド処理機能を実行するように主に構成される。例えば、BBU（処理ユニット）は、前述した実施形態で基地局によって行われるいくつかのアクションを行うため、基地局を制御するように構成されてよい。
【０１３６】
一例において、BBU 502は1つ以上の基板を含んでよく、複数の基板は1つのアクセス規格の無線アクセスネットワークを合同でサポートしてよく、あるいは様々なアクセス規格の無線アクセスネットワークを別々にサポートしてもよい。BBU 502は、メモリ5021と、プロセッサ5022とをさらに含む。メモリ5021は、必要な命令と必要なデータを記憶するように構成される。例えば、メモリ5021は、前述した実施形態でランダムアクセスプリアンブルの構成情報を記憶する。プロセッサ5022は、必要なアクションを行うため、基地局を制御するように構成され、例えば、前述した実施形態で基地局によって行われるアクションを行うため、基地局を制御するように構成される。メモリ5021とプロセッサ5022は1つ以上の基板を担当できる。換言すると、メモリとプロセッサはそれぞれの基板上に別々に配置されてよい。あるいは、複数の基板が同一のメモリと同一のプロセッサを使用してもよい。加えて、それぞれの基板には必要な回路がさらに配置される。
【０１３７】
同じ発明コンセプトに基づき、本願の一実施形態は装置をさらに提供する。この装置は端末であってよく、あるいは端末内のチップであってよい。図6に示されているように、装置は、プロセッサ601と、メモリ602とを含む。
【０１３８】
メモリ602は、コンピュータ実行可能命令を記憶するように構成され、プロセッサ601は、メモリ602に記憶されたコンピュータ実行可能命令を実行するように構成される。
【０１３９】
プロセッサ601はメモリ602に記憶されたコンピュータ実行可能命令を実行し、あるいはプロセッサ601は、メモリ602に記憶されたコンピュータ実行可能命令を実行するために、送受信器を制御し、装置600は前述した実施形態で提供される通信方法で端末によって行われるステップを行い、あるいは端末はそれらのステップに対応する機能ユニットを配備している。例えば、メモリ602は以下の命令を含む。
【０１４０】
命令S1：基地局から測定構成を受信し、測定構成は指示情報を含み、指示情報は端末の隣接セル測定と端末の構成されたs−measureとの関係を指示するために使われる。
【０１４１】
命令S2：指示情報に基づいて隣接セル測定を行う。
【０１４２】
プロセッサ601は、様々なタイプのプロセッサ601、あるいは同じタイプのプロセッサ601を含んでよい。プロセッサ601は、計算処理能力を有する以下のコンポーネント、すなわち中央処理装置（Central Processing Unit、略してCPU）、ARMプロセッサ、フィールドプログラマブルゲートアレイ（Field Programmable Gate Array、略してFPGA）、専用プロセッサなどのいずれか1つであってよい。任意の一実装において、プロセッサ601は多コアプロセッサとして統合されてもよい。
【０１４３】
メモリ602は、以下の記憶媒体、すなわちランダムアクセスメモリ（Random Access Memory、略してRAM）、読み取り専用メモリ（read only memory、略してROM）、不揮発性メモリ（non−volatile memory、略してNVM）、ソリッドステートドライブ（Solid State Drives、略してSSD）、機械的ハードディスク、磁気ディスク、ディスクアレイなどのいずれか1つ、またはそれらの組み合わせであってよい。
【０１４４】
同じ発明コンセプトに基づき、本願の一実施形態は装置をさらに提供する。この装置は基地局であってよく、あるいは基地局内のチップであってよい。図7に示されているように、装置は、少なくともプロセッサ701と、メモリ702とを含む。メモリ702は、コンピュータ実行可能命令を記憶するように構成され、プロセッサ701は、メモリ702に記憶されたコンピュータ実行可能命令を実行するように構成される。
【０１４５】
プロセッサ701はメモリ702に記憶されたコンピュータ実行可能命令を実行し、あるいはプロセッサ701は、メモリ702に記憶されたコンピュータ実行可能命令を実行するために、送受信器を制御し、装置700は前述した実施形態で提供される通信方法で基地局によって行われるステップを行い、あるいは基地局はそれらのステップに対応する機能ユニットを配備している。例えば、メモリ702は以下の命令を含む。
【０１４６】
命令S1：測定構成を生成し、測定構成は指示情報を含み、指示情報は端末の隣接セル測定と端末の構成されたs−measureとの関係を指示するために使われる。
【０１４７】
命令S2：測定構成を端末へ送信する。
【０１４８】
プロセッサ701は、異なるタイプのプロセッサ701、または同じタイプのプロセッサ701を含み得る。プロセッサ701は、計算処理能力を有する以下のコンポーネント、すなわち中央処理装置（Central Processing Unit、略してCPU）、ARMプロセッサ、フィールドプログラマブルゲートアレイ（Field Programmable Gate Array、略してFPGA）、専用プロセッサなどのいずれか1つであってよい。任意の一実装において、プロセッサ701は多コアプロセッサとして統合されてもよい。
【０１４９】
メモリ702は、以下の記憶媒体、すなわちランダムアクセスメモリ（Random Access Memory、略してRAM）、読み取り専用メモリ（read only memory、略してROM）、不揮発性メモリ（non−volatile memory、略してNVM）、ソリッドステートドライブ（Solid State Drives、略してSSD）、機械的ハードディスク、磁気ディスク、ディスクアレイなどのいずれか1つ、またはそれらの組み合わせであってよい。
【０１５０】
図8は本願による装置の概略図である。装置800は、前述した実施形態のいずれか1つにおける端末、または端末内のチップであってよい。
【０１５１】
装置800は、前述した通信方法のいずれか1つを行うように構成されてよい。装置800は、少なくとも1つの処理ユニット811と、通信ユニット812とを含む。処理ユニット811と通信ユニット812は通信バスを使って接続されている。通信バスは、前述したユニット間で情報を伝送するための経路を含んでよい。
【０１５２】
処理ユニット811は、汎用中央処理装置（CPU）、マイクロプロセッサ、特定用途向け集積回路（application−specific integrated circuit、ASIC）、または本発明のソリューションでプログラムの実行を制御するように構成された1つ以上の集積回路であってよい。
【０１５３】
通信ユニット812は、送受信機能を備えた装置であってよく、別のデバイス、または通信ネットワーク、例えば、イーサネット、無線アクセスネットワーク（RAN）、または無線ローカルエリアネットワーク（wireless local area networks、WLAN）と通信するように構成される。
【０１５４】
可能な一設計において、この装置が端末である場合は、処理ユニット811は、例えばプロセッサであってよく、通信ユニット812は、例えば送受信器であってよく、この送受信器は無線周波数回路を含む。装置が記憶ユニットをさらに含む場合は、この記憶ユニットはコンピュータ実行可能命令を記憶するように構成され、処理ユニット811は記憶ユニットに接続され、処理ユニット811は記憶ユニットに記憶されたコンピュータ実行可能命令を実行し、これにより、端末は前述した実施形態のいずれか1つの通信方法を行う。
【０１５５】
別の可能な一設計において、この装置が端末内のチップである場合は、処理ユニット811は、例えばプロセッサであってよく、通信ユニット812は、例えば入出力インタフェース、ピン、または回路であってよい。処理ユニット811は記憶ユニットに記憶されたコンピュータ実行可能命令を実行でき、これにより前述した実施形態のいずれかの通信方法が行われる。必要に応じ、記憶ユニットはチップ内の記憶ユニットであり、例えば、レジスタ、またはバッファであり、さらに記憶ユニットは、端末内にあってチップ外にある記憶ユニットであってもよく、例えば、ROM、静的な情報や命令を記憶できる別種の静的記憶装置、またはRAMであってもよい。
【０１５６】
チップが通信方法を行うことは、チップが装置内の他のコンポーネントと共同で通信方法を実施するものとして理解できる。
【０１５７】
通信ユニット812は基地局から測定構成を受信し、測定構成は指示情報を含み、指示情報は端末の隣接セル測定と端末の構成されたs−measureとの関係を指示するために使われる、ように構成される。
【０１５８】
処理ユニット811は指示情報に基づいて隣接セル測定を行うように構成される。
【０１５９】
一実装において、指示情報が端末の隣接セル測定と端末の構成されたs−measureとの関係を指示するために使われることは、
指示情報が端末の隣接セル測定のときにs−measureを無視することを指示することを含み、
処理ユニット811は、基地局が端末にサービスを提供するところのプライマリセルの信号品質がs−measureより高いとき、隣接セル測定を行い、基地局はプライマリ基地局またはセカンダリ基地局を含む、ように構成される。
【０１６０】
一実装において、指示情報が端末の隣接セル測定のときにs−measureを無視することを指示することは、
指示情報が端末のインターRAT無線アクセス技術inter−RAT測定のときにs−measureを無視することを指示することを含み、
処理ユニット811は、基地局内にあって端末にサービスを提供するプライマリセルの信号品質がs−measureより高いとき、端末のinter−RAT測定を行うように構成される。
【０１６１】
一実装において、測定構成はレポート構成を運び、レポート構成は指示情報を運び、指示情報はレポート構成と関連付けられる測定タスクの隣接セル測定のときにs−measureを無視することを指示するために使われ、あるいは
測定構成は測定対象構成を運び、測定対象構成は指示情報を運び、指示情報は測定対象構成と関連付けられる測定タスクの隣接セル測定のときにs−measureを無視することを指示するために使われ、あるいは
測定構成は測定識別ID構成を運び、測定ID構成は指示情報を運び、指示情報は測定ID構成と関連付けられる測定タスクの隣接セル測定のときにs−measureを無視することを指示するために使われる。
【０１６２】
一実装において、指示情報が端末の隣接セル測定と端末の構成されたs−measureとの関係を指示するために使われることは、
指示情報が端末の隣接セル測定のときにs−measureを無視できないことを指示することを含み、
処理ユニット811は、基地局が端末にサービスを提供するところのプライマリセルの信号品質がs−measureより高いとき、隣接セル測定を行うことを止め、基地局はプライマリ基地局またはセカンダリ基地局を含む、ように構成される。
【０１６３】
一実装において、s−measureは、基地局によって構成される信号または干渉雑音比SINR閾値に対する基準信号受信電力RSRP閾値である。
【０１６４】
一実装において、s−measureは同期信号ブロックSS block測定に基づくRSRP閾値であり、あるいは
s−measureはチャネル状態情報基準信号CSI−RS測定に基づくRSRP閾値であり、あるいは
s−measureはSS block測定に基づくSINR閾値であり、あるいは
s−measureはCSI−RS測定に基づくSINR閾値である。
【０１６５】
一実装において、指示情報は基準閾値であり、この基準閾値はs−measureより大きく、
処理ユニット811は、基地局が端末にサービスを提供するところのプライマリセルの信号品質がs−measureより高く、基準閾値より低いとき、隣接セル測定を行い、あるいは
基地局が端末にサービスを提供するところのプライマリセルの信号品質が基準閾値より高いとき、隣接セル測定を行うことを止め、
基地局はプライマリ基地局またはセカンダリ基地局を含む、ように特に構成される。
【０１６６】
一実装において、指示情報はオフセット値であり、このオフセット値は0より大きく、
処理ユニット811は、基地局が端末にサービスを提供するところのプライマリセルの信号品質がs−measureより高く、s−measureとオフセット値との和より低いとき、隣接セル測定を行い、あるいは
基地局が端末にサービスを提供するところのプライマリセルの信号品質がs−measureとオフセット値との和より高いとき、隣接セル測定を行うことを止め、
基地局はプライマリ基地局またはセカンダリ基地局を含む、ように特に構成される。
【０１６７】
一実装において、基地局は端末のプライマリ基地局であり、指示情報は、プライマリ基地局によって構成される、端末の隣接セル測定と端末の構成されたs−measureとの関係を指示するために使われ、s−measureは端末のプライマリ基地局によって端末へ送信され、あるいは
基地局は端末のセカンダリ基地局であり、指示情報は、セカンダリ基地局によって構成される、端末の隣接セル測定と端末の構成されたs−measureとの関係を指示するために使われ、s−measureは端末のセカンダリ基地局によって端末へ送信される。
【０１６８】
端末または端末のチップが、本発明の実施形態の通信方法で端末によって行われるステップを実施するように構成されてよいことを理解されたい。関連する特徴については、前述の説明を参照されたい。ここでは詳細を繰り返し説明しない。
【０１６９】
図9は本願による装置の概略図である。装置900は、前述した実施形態のいずれか1つにおける基地局、または基地局内のチップであってよい。
【０１７０】
装置900は、前述した通信方法のいずれか1つを行うように構成されてよい。装置900は、少なくとも1つの処理ユニット911と、通信ユニット912とを含む。処理ユニット911と通信ユニット912は通信バスを使って接続されている。通信バスは、前述したユニット間で情報を伝送するための経路を含んでよい。
【０１７１】
処理ユニット911は、汎用中央処理装置（CPU）、マイクロプロセッサ、特定用途向け集積回路（application−specific integrated circuit、ASIC）、または本発明のソリューションでプログラムの実行を制御するように構成された1つ以上の集積回路であってよい。
【０１７２】
通信ユニット912は、送受信機能を備えた装置であってよく、別のデバイス、または通信ネットワーク、例えば、イーサネット、無線アクセスネットワーク（RAN）、または無線ローカルエリアネットワーク（wireless local area networks、WLAN）と通信するように構成される。
【０１７３】
可能な一設計において、この装置が基地局である場合は、処理ユニット911は、例えばプロセッサであってよく、通信ユニット912は、例えば送受信器であってよく、この送受信器は無線周波数回路を含む。装置が記憶ユニットをさらに含む場合は、この記憶ユニットはコンピュータ実行可能命令を記憶するように構成され、処理ユニット911は記憶ユニットに接続され、処理ユニット911は記憶ユニットに記憶されたコンピュータ実行可能命令を実行し、これにより、基地局は前述した実施形態のいずれか1つの通信方法を行う。
【０１７４】
別の可能な一設計において、この装置が基地局内のチップである場合は、処理ユニット911は、例えばプロセッサであってよく、通信ユニット912は、例えば入出力インタフェース、ピン、または回路であってよい。処理ユニット911は記憶ユニットに記憶されたコンピュータ実行可能命令を実行でき、これにより前述した実施形態のいずれかの通信方法が行われる。必要に応じ、記憶ユニットはチップ内の記憶ユニットであり、例えば、レジスタ、またはバッファであり、さらに記憶ユニットは、基地局内にあってチップ外にある記憶ユニットであってもよく、例えば、ROM、静的な情報や命令を記憶できる別種の静的記憶装置、またはRAMであってもよい。
【０１７５】
チップが通信方法を行うことは、チップが装置内の他のコンポーネントと共同で通信方法を実施するものとして理解できる。
【０１７６】
例えば、装置が図9に示された方法で分割される場合は、処理ユニットが通信ユニットと協力することで、装置は本願の前述した実施形態のいずれかの通信方法を実施できる。
【０１７７】
処理ユニット911は測定構成を生成し、測定構成は指示情報を含み、指示情報は端末の隣接セル測定と端末の構成されたs−measureとの関係を指示するために使われる、ように構成され、
通信ユニット912は端末へ測定構成を送信するように構成される。
【０１７８】
一実装において、指示情報が端末の隣接セル測定と端末の構成されたs−measureとの関係を指示するために使われることは、
指示情報が端末の隣接セル測定のときにs−measureを無視することを指示することを含む。
【０１７９】
一実装において、指示情報が端末の隣接セル測定のときにs−measureを無視することを指示することは、
指示情報が端末のinter−RAT測定のときにs−measureを無視することを指示することを含む。
【０１８０】
一実装において、測定構成はレポート構成を運び、レポート構成は指示情報を運び、指示情報はレポート構成と関連付けられる測定タスクの隣接セル測定のときにs−measureを無視することを指示するために使われ、あるいは
測定構成は測定対象構成を運び、測定対象構成は指示情報を運び、指示情報は測定対象構成と関連付けられる測定タスクの隣接セル測定のときにs−measureを無視することを指示するために使われ、あるいは
測定構成は測定識別ID構成を運び、測定ID構成は指示情報を運び、指示情報は測定ID構成と関連付けられる測定タスクの隣接セル測定のときにs−measureを無視することを指示するために使われる。
【０１８１】
一実装において、指示情報が端末の隣接セル測定と端末の構成されたs−measureとの関係を指示するために使われることは、
指示情報が端末の隣接セル測定のときにs−measureを無視できないことを指示することを含む。
【０１８２】
一実装において、s−measureは、基準信号受信電力RSRP閾値、または基地局によって構成される信号対干渉雑音比SINR閾値である。
【０１８３】
一実装において、s−measureは同期信号ブロックSS block測定に基づくRSRP閾値であり、あるいは
s−measureはチャネル状態情報基準信号CSI−RS測定であるRSRP閾値であり、あるいは
s−measureはSS block測定に基づくSINR閾値であり、あるいは
s−measureはCSI−RS測定に基づくSINR閾値である。
【０１８４】
一実装において、指示情報は、プライマリ基地局によって構成される、端末の隣接セル測定と端末の構成されたs−measureとの関係を指示するために使われ、あるいは
指示情報は、セカンダリ基地局によって構成される、端末の隣接セル測定と端末の構成されたs−measureとの関係を指示するために使われる。
【０１８５】
基地局または基地局のチップが、本発明の実施形態の通信方法で端末によって行われるステップを実施するように構成されてよいことを理解されたい。関連する特徴については、前述の説明を参照されたい。ここでは詳細を繰り返し説明しない。
【０１８６】
前述した実施形態の全部または一部は、ソフトウェア、ハードウェア、ファームウェア、またはこれらの組み合わせによって実装されてよい。実施形態を実装するためにソフトウェアが使われる場合は、実施形態の全部または一部がコンピュータプログラム製品の形で実装されてよい。コンピュータプログラム製品は1つ以上のコンピュータ命令を含む。コンピュータプログラム命令がコンピュータで読み込まれて実行されると、本発明の実施形態による手順または機能が全面的にか部分的に生成される。コンピュータは、汎用コンピュータ、専用コンピュータ、コンピュータネットワーク、または他のプログラム可能装置であってよい。コンピュータ命令はコンピュータ可読記憶媒体に記憶されてよく、あるいはある1つのコンピュータ可読記憶媒体から別のコンピュータ可読記憶媒体へ伝送されてよい。例えば、コンピュータ命令は、ある1つのウェブサイト、コンピュータ、サーバー、またはデータセンターから、別のウェブサイト、コンピュータ、サーバー、またはデータセンターへ、有線方式（例えば同軸ケーブル、光ファイバ、デジタル加入者回線（DSL））で、または無線方式（赤外線、ラジオ、マイクロ波など）で、伝送されてよい。コンピュータ可読記憶媒体はコンピュータによってアクセス可能な何らかの使用可能な媒体であってよく、あるいは1つ以上の使用可能な媒体を統合するサーバーやデータセンターなどのデータ記憶装置であってよい。使用可能な媒体は、磁気媒体（例えばソフトディスク、ハードディスク、または磁気テープ）、光媒体（例えばDVD）、半導体媒体（例えばソリッドステートドライブ（Solid State Disk、SSD））などであってよい。
【０１８７】
本発明は実施形態を参照しながら説明されているが、当業者なら、保護を主張する本発明を実装する過程で、添付の図面と開示内容と添付のクレームを見て、開示されている実施形態の別のバリエーションを理解し、実装することができる。クレームにおいて「含む（comprising）」は別のコンポーネントや別のステップを排除せず、「a」または「an」は複数の場合を排除しない。単一のプロセッサまたは別のユニットは、クレームに列挙されているいくつかの機能を実行できる。従属クレームには互いに異なるいくつかの方策が記録されているが、これは、より良い効果を生み出すために、これらの方策を組み合わせることができないことを意味しない。
【０１８８】
当業者なら、本願の実施形態が、方法、装置（デバイス）、コンピュータ可読記憶媒体、またはコンピュータプログラム製品として提供され得ることを理解するであろう。したがって、本願は、ハードウェアのみの実施形態、ソフトウェアのみの実施形態、またはソフトウェアとハードウェアの組み合わせを含む実施形態の形式を使用してよい。これらは「モジュール」または「システム」と総称される。
【０１８９】
本願は、本願による方法、装置（デバイス）、およびコンピュータプログラム製品のフローチャートおよび／またはブロック図を参照して説明されている。フローチャートおよび／またはブロック図にある各プロセスおよび／または各ブロック、ならびにフローチャートおよび／またはブロック図にあるプロセスおよび／またはブロックの組み合わせを実行するため、コンピュータプログラム命令が使用され得ることを理解されたい。これらのコンピュータプログラム命令は、汎用コンピュータ、専用コンピュータ、組み込みプロセッサ、またはマシンを形成する他のプログラム可能データ処理デバイスのプロセッサ用として提供されてよく、コンピュータによって、または他のプログラム可能データ処理デバイスのプロセッサによって、実行される命令は、フローチャートにある1つ以上のプロセスで、および／またはブロック図にある1つ以上のブロックで、特定の機能を実行する装置を形成する。
【０１９０】
これらのコンピュータプログラム命令は、コンピュータや他のプログラム可能データ処理デバイスに特定の方法で稼働するよう命令できるコンピュータ可読メモリに記憶されてもよく、コンピュータ可読メモリに記憶された命令は命令装置を含むアーチファクトを形成する。命令装置は、フローチャートにある1つ以上のプロセスで、および／またはブロック図にある1つ以上のブロックで、特定の機能を実行する。
【０１９１】
これらのコンピュータプログラム命令はコンピュータか他のプログラム可能データ処理デバイスに読み込まれてもよく、コンピュータか他のプログラム可能デバイスで一連の操作とステップが行われ、コンピュータ実行処理が生成される。したがって、コンピュータまたは他のプログラム可能デバイスで実行される命令は、フローチャートにある1つ以上のプロセスで、および／またはブロック図にある1つ以上のブロックで、特定の機能を実行するステップを提供する。
【０１９２】
本発明は、その特定の特徴と実施形態を参照して説明されているが、当然ながら、本発明の精神と範囲から逸脱することなく様々な修正や組み合わせを行うことができる。これに応じ、明細書と添付の図面は、添付のクレームによって規定される本発明の例示的な説明に過ぎず、本発明の範囲を包含する修正、変更、組み合わせ、または同等物のいずれかまたは全てとみなされる。当然ながら、当業者なら、本発明の精神と範囲から逸脱せずに本発明に対して様々な修正や変更を行うことができる。このように、本発明は、以降のクレームとこれと同等の技術とによって定義される保護の範囲内にあるこれらの修正や変更を包含することを意図する。
【符号の説明】
【０１９３】
400  端末
401  送受信ユニット
402  処理ユニット
500  基地局
501  リモートラジオユニット
502  ベースバンドユニット
600  装置
601  プロセッサ
602  メモリ
700  装置
701  プロセッサ
702  メモリ
800  装置
811  処理ユニット
812  通信ユニット
900  装置
911  処理ユニット
912  通信ユニット
5011  アンテナ
5012  無線周波数ユニット
5021  メモリ
5022  プロセッサ
【図１】
2020535754.tif 000003
【図２】
2020535754.tif 000004
【図３】
2020535754.tif 000005
【図４】
2020535754.tif 000006
【図５】
2020535754.tif 000007
【図６】
2020535754.tif 000008
【図７】
2020535754.tif 000009
【図８】
2020535754.tif 000010
【図９】
2020535754.tif 000011
【手続補正書】
【提出日】令和2年5月7日(2020.5.7)
【手続補正１】
【補正対象書類名】明細書
【補正対象項目名】００２５
【補正方法】変更
【補正の内容】
【００２５】
可能な一設計において、該装置が端末である場合は、この端末は処理ユニットと通信ユニットとを含む。処理ユニットは、例えばプロセッサであってよい。通信ユニットは、例えば送受信器であってよく、この送受信器は無線周波数回路を含む。必要に応じ、端末は記憶ユニットをさらに含み、この記憶ユニットは、例えばメモリであってよい。端末が記憶ユニットを含む場合、記憶ユニットはコンピュータ実行可能命令を記憶する。処理ユニットは記憶ユニットに接続されている。処理ユニットは記憶ユニットに記憶されたコンピュータ実行可能命令を実行し、これにより、端末は第1の態様によるいずれかの測定方法を行う。
【手続補正２】
【補正対象書類名】明細書
【補正対象項目名】００２６
【補正方法】変更
【補正の内容】
【００２６】
別の可能な一設計において、該装置が端末内のチップである場合は、このチップは処理ユニットと通信ユニットとを含む。処理ユニットは、例えばプロセッサであってよい。通信ユニットは、例えば、入出力インタフェース、ピン、または回路であってよい。処理ユニットは記憶ユニットに記憶されたコンピュータ実行可能命令を実行でき、これにより第1の態様によるいずれかの測定方法が行われる。必要に応じ、記憶ユニットはチップ内の記憶ユニットであり、例えば、レジスタ、またはバッファであり、さらに記憶ユニットは、端末内にあってチップ外にある記憶ユニットであってもよく、例えば、読み取り専用メモリ（read−only memory、ROM）、静的な情報や命令を記憶できる別種の静的記憶装置、またはランダムアクセスメモリ（random access memory、RAM）であってもよい。
【手続補正３】
【補正対象書類名】明細書
【補正対象項目名】００２７
【補正方法】変更
【補正の内容】
【００２７】
上述したプロセッサは、汎用中央処理装置（Central Processing Unit、CPU）、マイクロプロセッサ、特定用途向け集積回路（application−specific integrated circuit、ASIC）、または第1の態様による測定方法のプログラムの実行を制御する1つ以上の集積回路であってよい。
【手続補正４】
【補正対象書類名】明細書
【補正対象項目名】００２９
【補正方法】変更
【補正の内容】
【００２９】
可能な一設計において、該装置が基地局である場合は、この基地局は処理ユニットと通信ユニットとを含む。処理ユニットは、例えばプロセッサであってよい。通信ユニットは、例えば送受信器であってよく、この送受信器は無線周波数回路を含む。必要に応じ、基地局は記憶ユニットをさらに含み、この記憶ユニットは、例えばメモリであってよい。基地局が記憶ユニットを含む場合、記憶ユニットはコンピュータ実行可能命令を記憶する。処理ユニットは記憶ユニットに接続されている。処理ユニットは記憶ユニットに記憶されたコンピュータ実行可能命令を実行し、これにより、基地局は第2の態様によるいずれかの測定方法を行う。
【手続補正５】
【補正対象書類名】明細書
【補正対象項目名】００３０
【補正方法】変更
【補正の内容】
【００３０】
別の可能な一設計において、該装置が基地局内のチップである場合は、このチップは処理ユニットと通信ユニットとを含む。処理ユニットは、例えばプロセッサであってよい。通信ユニットは、例えば、入出力インタフェース、ピン、または回路であってよい。処理ユニットは記憶ユニットに記憶されたコンピュータ実行可能命令を実行でき、これにより第2の態様によるいずれかの測定方法が行われる。必要に応じ、記憶ユニットはチップ内の記憶ユニットであり、例えば、レジスタ、またはバッファであり、さらに記憶ユニットは、基地局内にあってチップ外にある記憶ユニットであってもよく、例えば、ROM、静的な情報や命令を記憶できる別種の静的記憶装置、またはRAMであってもよい。
【手続補正６】
【補正対象書類名】明細書
【補正対象項目名】００３１
【補正方法】変更
【補正の内容】
【００３１】
上述したプロセッサは、汎用CPU、マイクロプロセッサ、ASIC、または第2の態様による測定方法のプログラムの実行を制御する1つ以上の集積回路であってよい。
【手続補正７】
【補正対象書類名】明細書
【補正対象項目名】００４２
【補正方法】変更
【補正の内容】
【００４２】
本願の基地局は端末を無線ネットワークに接続するデバイスである。基地局は、5GのgノードB（gNB）、エボルブドノードB（eNB）、ノードB（NB）、基地局コントローラ（base station controller、BSC）、ベーストランシーバステーション（base transceiver station、BTS）、ホームエボルブドノードB（例えば、home evolved nodeB、またはhome node B、HNB）、ベースバンドユニット（BaseBand Unit、BBU）、送受信ポイント（transmitting and receiving point、TRP）、送信ポイント（transmitting point、TP）、モバイルスイッチングセンターなどを含むが、これらに限定されない。
【手続補正８】
【補正対象書類名】明細書
【補正対象項目名】００７６
【補正方法】変更
【補正の内容】
【００７６】
前述した測定構成の例に基づき、実装方法2において、指示情報は測定対象構成の中で運ばれてよく、例えば、指示情報は測定対象構成1の中で運ばれ、すなわち、測定構成は次のように示すことができる。
｛
測定ID構成1｛MeasID 1（reportConfig ID 1，objectID 1）｝
測定ID構成2｛MeasID 2（reportConfig ID 1，objectID 2）｝
測定ID構成3｛MeasID 3（reportConfig ID 2，objectID 1）｝
測定ID構成4｛MeasID 4（reportConfig ID 2，objectID 2）｝
測定ID構成5｛MeasID 5（reportConfig ID 3，objectID 1）｝
測定ID構成6｛MeasID 6（reportConfig ID 3，objectID 2）｝
測定対象構成1｛objectID 1（f1），指示情報｝
測定対象構成2｛objectID 1（f2）｝
レポート構成1｛reportConfig ID 1（A1）｝
レポート構成2｛reportConfig ID 2（B1）｝
レポート構成3｛reportConfig ID 3（A1）｝
s−measure
｝
【手続補正９】
【補正対象書類名】明細書
【補正対象項目名】０１０５
【補正方法】変更
【補正の内容】
【０１０５】
プライマリ基地局の場合、Pcellの信号品質がs−measure 1より高ければ、端末はプライマリ基地局によって送信される測定構成に対応する隣接セル測定を行わない。ただし、セカンダリ基地局によって送信される測定構成はs−measure 1に影響されず、すなわち、PSCellがs−measure 2より高い場合を除き、セカンダリ基地局によって送信される測定構成に対応する隣接セル測定はなお行われる。このように、プライマリ基地局とセカンダリ基地局によって送信されるs−measureは、プライマリ基地局とセカンダリ基地局によって送信される測定構成のみに影響し、これにより、システムの複雑さが簡素化される。
【手続補正１０】
【補正対象書類名】明細書
【補正対象項目名】０１１０
【補正方法】変更
【補正の内容】
【０１１０】
LTEにおいて、s−measureは基準信号受信電力（RSRP）閾値としてのみ構成できる。具体的に述べると、PCellのRSRP測定値はs−measureと比較される。
【手続補正１１】
【補正対象書類名】明細書
【補正対象項目名】０１１３
【補正方法】変更
【補正の内容】
【０１１３】
さらに、本願の前述した実施形態において、s−measureは基地局によって構成された、測定基準信号タイプに基づく閾値であってもよく、測定基準信号タイプは同期信号ブロック（SS block）またはチャネル状態情報基準信号（Channel State Information Reference Signal、CSI−RS）である。
【手続補正１２】
【補正対象書類名】明細書
【補正対象項目名】０１３９
【補正方法】変更
【補正の内容】
【０１３９】
プロセッサ601はメモリ602に記憶されたコンピュータ実行可能命令を実行し、あるいはプロセッサ601は、メモリ602に記憶されたコンピュータ実行可能命令を実行するために、送受信器を制御し、装置600は前述した実施形態で提供される測定方法で端末によって行われるステップを行い、あるいは端末はそれらのステップに対応する機能ユニットを配備している。例えば、メモリ602は以下の命令を含む。
【手続補正１３】
【補正対象書類名】明細書
【補正対象項目名】０１４３
【補正方法】変更
【補正の内容】
【０１４３】
メモリ602は、以下の記憶媒体、すなわちランダムアクセスメモリ（Random Access Memory、略してRAM）、読み取り専用メモリ（略してROM）、不揮発性メモリ（略してNVM）、ソリッドステートドライブ（略してSSD）、機械的ハードディスク、磁気ディスク、ディスクアレイなどのいずれか1つ、またはそれらの組み合わせであってよい。
【手続補正１４】
【補正対象書類名】明細書
【補正対象項目名】０１４５
【補正方法】変更
【補正の内容】
【０１４５】
プロセッサ701はメモリ702に記憶されたコンピュータ実行可能命令を実行し、あるいはプロセッサ701は、メモリ702に記憶されたコンピュータ実行可能命令を実行するために、送受信器を制御し、装置700は前述した実施形態で提供される測定方法で基地局によって行われるステップを行い、あるいは基地局はそれらのステップに対応する機能ユニットを配備している。例えば、メモリ702は以下の命令を含む。
【手続補正１５】
【補正対象書類名】明細書
【補正対象項目名】０１５１
【補正方法】変更
【補正の内容】
【０１５１】
装置800は、前述した測定方法のいずれか1つを行うように構成されてよい。装置800は、少なくとも1つの処理ユニット811と、通信ユニット812とを含む。処理ユニット811と通信ユニット812は通信バスを使って接続されている。通信バスは、前述したユニット間で情報を伝送するための経路を含んでよい。
【手続補正１６】
【補正対象書類名】明細書
【補正対象項目名】０１５３
【補正方法】変更
【補正の内容】
【０１５３】
通信ユニット812は、送受信機能を備えた装置であってよく、別のデバイス、または通信ネットワーク、例えば、イーサネット、無線アクセスネットワーク（RAN）、または無線ローカルエリアネットワーク（WLAN）と通信するように構成される。
【手続補正１７】
【補正対象書類名】明細書
【補正対象項目名】０１５４
【補正方法】変更
【補正の内容】
【０１５４】
可能な一設計において、この装置が端末である場合は、処理ユニット811は、例えばプロセッサであってよく、通信ユニット812は、例えば送受信器であってよく、この送受信器は無線周波数回路を含む。装置が記憶ユニットをさらに含む場合は、この記憶ユニットはコンピュータ実行可能命令を記憶するように構成され、処理ユニット811は記憶ユニットに接続され、処理ユニット811は記憶ユニットに記憶されたコンピュータ実行可能命令を実行し、これにより、端末は前述した実施形態のいずれか1つの測定方法を行う。
【手続補正１８】
【補正対象書類名】明細書
【補正対象項目名】０１５５
【補正方法】変更
【補正の内容】
【０１５５】
別の可能な一設計において、この装置が端末内のチップである場合は、処理ユニット811は、例えばプロセッサであってよく、通信ユニット812は、例えば入出力インタフェース、ピン、または回路であってよい。処理ユニット811は記憶ユニットに記憶されたコンピュータ実行可能命令を実行でき、これにより前述した実施形態のいずれかの測定方法が行われる。必要に応じ、記憶ユニットはチップ内の記憶ユニットであり、例えば、レジスタ、またはバッファであり、さらに記憶ユニットは、端末内にあってチップ外にある記憶ユニットであってもよく、例えば、ROM、静的な情報や命令を記憶できる別種の静的記憶装置、またはRAMであってもよい。
【手続補正１９】
【補正対象書類名】明細書
【補正対象項目名】０１５６
【補正方法】変更
【補正の内容】
【０１５６】
チップが測定方法を行うことは、チップが装置内の他のコンポーネントと共同で測定方法を実施するものとして理解できる。
【手続補正２０】
【補正対象書類名】明細書
【補正対象項目名】０１６８
【補正方法】変更
【補正の内容】
【０１６８】
端末または端末のチップが、本発明の実施形態の測定方法で端末によって行われるステップを実施するように構成されてよいことを理解されたい。関連する特徴については、前述の説明を参照されたい。ここでは詳細を繰り返し説明しない。
【手続補正２１】
【補正対象書類名】明細書
【補正対象項目名】０１７０
【補正方法】変更
【補正の内容】
【０１７０】
装置900は、前述した測定方法のいずれか1つを行うように構成されてよい。装置900は、少なくとも1つの処理ユニット911と、通信ユニット912とを含む。処理ユニット911と通信ユニット912は通信バスを使って接続されている。通信バスは、前述したユニット間で情報を伝送するための経路を含んでよい。
【手続補正２２】
【補正対象書類名】明細書
【補正対象項目名】０１７３
【補正方法】変更
【補正の内容】
【０１７３】
可能な一設計において、この装置が基地局である場合は、処理ユニット911は、例えばプロセッサであってよく、通信ユニット912は、例えば送受信器であってよく、この送受信器は無線周波数回路を含む。装置が記憶ユニットをさらに含む場合は、この記憶ユニットはコンピュータ実行可能命令を記憶するように構成され、処理ユニット911は記憶ユニットに接続され、処理ユニット911は記憶ユニットに記憶されたコンピュータ実行可能命令を実行し、これにより、基地局は前述した実施形態のいずれか1つの測定方法を行う。
【手続補正２３】
【補正対象書類名】明細書
【補正対象項目名】０１７４
【補正方法】変更
【補正の内容】
【０１７４】
別の可能な一設計において、この装置が基地局内のチップである場合は、処理ユニット911は、例えばプロセッサであってよく、通信ユニット912は、例えば入出力インタフェース、ピン、または回路であってよい。処理ユニット911は記憶ユニットに記憶されたコンピュータ実行可能命令を実行でき、これにより前述した実施形態のいずれかの測定方法が行われる。必要に応じ、記憶ユニットはチップ内の記憶ユニットであり、例えば、レジスタ、またはバッファであり、さらに記憶ユニットは、基地局内にあってチップ外にある記憶ユニットであってもよく、例えば、ROM、静的な情報や命令を記憶できる別種の静的記憶装置、またはRAMであってもよい。
【手続補正２４】
【補正対象書類名】明細書
【補正対象項目名】０１７５
【補正方法】変更
【補正の内容】
【０１７５】
チップが測定方法を行うことは、チップが装置内の他のコンポーネントと共同で測定方法を実施するものとして理解できる。
【手続補正２５】
【補正対象書類名】明細書
【補正対象項目名】０１７６
【補正方法】変更
【補正の内容】
【０１７６】
例えば、装置が図9に示された方法で分割される場合は、処理ユニットが通信ユニットと協力することで、装置は本願の前述した実施形態のいずれかの測定方法を実施できる。
【手続補正２６】
【補正対象書類名】明細書
【補正対象項目名】０１８５
【補正方法】変更
【補正の内容】
【０１８５】
基地局または基地局のチップが、本発明の実施形態の測定方法で端末によって行われるステップを実施するように構成されてよいことを理解されたい。関連する特徴については、前述の説明を参照されたい。ここでは詳細を繰り返し説明しない。
【手続補正２７】
【補正対象書類名】明細書
【補正対象項目名】０１９２
【補正方法】変更
【補正の内容】
【０１９２】
本発明は、その特定の特徴と実施形態を参照して説明されているが、当然ながら、本発明の範囲から逸脱することなく様々な修正や組み合わせを行うことができる。これに応じ、明細書と添付の図面は、添付のクレームによって規定される本発明の例示的な説明に過ぎず、本発明の範囲を包含する修正、変更、組み合わせ、または同等物のいずれかまたは全てとみなされる。当然ながら、当業者なら、本発明の精神と範囲から逸脱せずに本発明に対して様々な修正や変更を行うことができる。このように、本発明は、以降のクレームとこれと同等の技術とによって定義される保護の範囲内にあるこれらの修正や変更を包含することを意図する。
【手続補正２８】
【補正対象書類名】特許請求の範囲
【補正対象項目名】全文
【補正方法】変更
【補正の内容】
【特許請求の範囲】
【請求項１】
測定方法であって、
第1の品質閾値と第2の品質閾値の少なくともいずれか一方を受信するステップであって、前記第1の品質閾値はプライマリ基地局からのものであり、前記第1の品質閾値は、セカンダリ基地局からの測定構成に対応する隣接セル測定に影響を与えることなく前記プライマリ基地局からの測定構成に対応する隣接セル測定に影響を与え、前記第2の品質閾値は前記セカンダリ基地局からのものであり、前記第2の品質閾値は、前記プライマリ基地局からの前記測定構成に対応する前記隣接セル測定に影響を与えることなく、前記セカンダリ基地局からの前記測定構成に対応する前記隣接セル測定に影響を与える、ステップと、
前記第1の品質閾値と前記第2の品質閾値の前記少なくともいずれか一方に基づいて前記隣接セル測定を行うステップとを含む、方法。
【請求項２】
前記第1の品質閾値と前記第2の品質閾値の前記少なくともいずれか一方に基づいて前記隣接セル測定を行うステップは、
プライマリセル、PCell、の信号品質が前記第1の品質閾値より高いことに応じて、前記プライマリ基地局からの前記測定構成に対応する前記隣接セル測定が必要ないことと、
プライマリセカンダリセル、PSCell、の信号品質が前記第2の品質閾値より高いことに応じて、前記セカンダリ基地局からの前記測定構成に対応する前記隣接セル測定が必要ないことを含む、請求項1に記載の方法。
【請求項３】
前記第1の品質閾値はs−measure 1であり、前記第2の品質閾値はs−measure 2である、請求項1または2に記載の方法。
【請求項４】
前記第1の品質閾値または前記第2の品質閾値は測定基準信号に対応する閾値であり、前記測定基準信号は同期信号ブロックまたはチャネル状態情報基準信号を含む、
請求項1から3のいずれか一項に記載の方法。
【請求項５】
測定基準信号に対応する前記閾値は、前記測定基準信号の基準信号受信電力（RSRP）閾値である、請求項4に記載の方法。
【請求項６】
前記プライマリ基地局はNRシステムに属する基地局である、請求項1から5のいずれか一項に記載の方法。
【請求項７】
プライマリ基地局により、第1の品質閾値を決定するステップであって、前記第1の品質閾値は、セカンダリ基地局からの測定構成に対応する隣接セル測定に影響を与えることなく前記プライマリ基地局からの測定構成に対応する隣接セル測定に影響を与える、ステップと、
前記セカンダリ基地局により、第2の品質閾値を決定するステップであって、前記第2の品質閾値は、前記プライマリ基地局からの前記測定構成に対応する前記隣接セル測定に影響を与えることなく、前記セカンダリ基地局からの前記測定構成に対応する前記隣接セル測定に影響を与える、ステップと、
前記プライマリ基地局により、前記第1の品質閾値を端末へ送信するステップと、
前記セカンダリ基地局により、前記第2の品質閾値を前記端末へ送信するステップとを含む、方法。
【請求項８】
前記第1の品質閾値はs−measure 1であり、前記第2の品質閾値はs−measure 2である、請求項7に記載の方法。
【請求項９】
前記第1の品質閾値または前記第2の品質閾値は、測定基準信号に対応する閾値であり、前記測定基準信号は、同期信号ブロックまたはチャネル状態情報基準信号を含む、請求項7または8に記載の方法。
【請求項１０】
前記プライマリ基地局はNRシステムに属する基地局である、請求項7から9のいずれか一項に記載の方法。
【請求項１１】
請求項1から6のいずれか一項に記載の方法を実施するよう構成された装置。
【請求項１２】
プライマリ基地局とセカンダリ基地局とを含む通信システムであって、
前記プライマリ基地局は、第1の品質閾値を決定するように構成され、前記第1の品質閾値は、セカンダリ基地局からの測定構成に対応する隣接セル測定に影響を与えることなく前記プライマリ基地局からの測定構成に対応する隣接セル測定に影響を与え、前記第1の品質閾値を送信するよう構成され、
前記セカンダリ基地局は、第2の品質閾値を送信し、前記第2の品質閾値は、前記プライマリ基地局からの前記測定構成に対応する前記隣接セル測定に影響を与えることなく前記セカンダリ基地局からの前記測定構成に対応する前記隣接セル測定に影響を与えるよう構成され、前記第2の品質閾値を送信するよう構成される、通信システム。
【請求項１３】
前記第1の品質閾値はs−measure 1であり、前記第2の品質閾値はs−measure 2である、請求項12に記載のシステム。
【請求項１４】
端末をさらに含み、前記端末は請求項11に記載の装置を含む、請求項12または13に記載のシステム。
【請求項１５】
コンピュータ可読記憶媒体であって、前記コンピュータ可読記憶媒体は命令を記憶し、前記命令が実行されると、装置に請求項1から10のいずれか一項に記載の方法を行わせる、コンピュータ可読記憶媒体。
【国際調査報告】
2020535754.tif 000012
2020535754.tif 000013
2020535754.tif 000014
2020535754.tif 000015